(57)【要約】  本発明は非競合ランダムアクセスリソースの設定方法及び機器を提供する。該方法は、所定マッピング関係に基づいて、端末機器に目標リソース指示情報を送信するステップを有する。前記目標リソース指示情報は物理ランダムアクセスチャネル送信機会ＲＯリソースを決定するために用いられ、前記目標リソース指示情報は、物理ランダムアクセス制御チャネルＰＲＡＣＨマスクインデックスとＲＯリソースインデックスのうちの少なくとも１つを含み、前記所定マッピング関係は、前記目標リソース指示情報の値の範囲とＲＯリソースとの対応関係を含む。
2021520136.tif 000002
【特許請求の範囲】
【請求項１】
ネットワーク機器に適用する非競合ランダムアクセスリソースの設定方法であって、
所定マッピング関係に基づいて、目標リソース指示情報を端末機器に送信するステップを有し、
前記目標リソース指示情報は、物理ランダムアクセスチャネル送信機会ＲＯリソースを決定するために用いられ、前記目標リソース指示情報は、物理ランダムアクセス制御チャネルＰＲＡＣＨマスクインデックスとＲＯリソースインデックスのうちの少なくとも１つを含み、前記所定マッピング関係は、前記目標リソース指示情報の値の範囲とＲＯリソースとの対応関係を含む、方法。
【請求項２】
前記所定マッピング関係は、前記ネットワーク機器によって予め決定されるか、又はプロトコルによって規定され、
前記所定マッピング関係は、ＲＯリソースグループに関わる、請求項１に記載の方法。
【請求項３】
前記ＲＯリソースグループは、所定パラメータに基づいて所定時間間隔内で設定されたＲＯリソースをグループ化して得られるものであり、前記所定パラメータは、ＲＯリソース識別子、ＲＯリソースの時間位置、ＲＯリソースの周波数領域位置、ＲＯリソースの関連対象のタイプ及び関連グループのうちの１つを含み、前記関連対象のタイプは、同期信号ブロックＳＳＢ又はチャネル状態参照信号ＣＳＩ−ＲＳを含み、前記関連グループは、ＲＯリソースと関連対象との１回の完全なマッピングを完了するために必要なＲＯリソースからなるセットであり、前記所定パラメータがＲＯリソース識別子である場合、ＲＯリソースグループの数は、前記所定時間間隔内で設定されたＲＯリソースの数に等しい、請求項２に記載の方法。
【請求項４】
前記所定時間間隔は、前記ネットワーク機器によるＲＯリソースの設定周期又は同期周期を含む、請求項３に記載の方法。
【請求項５】
前記所定マッピング関係は、
前記目標リソース指示情報の値の範囲が第１所定区間にある場合、対応するＲＯリソースは、前記所定時間間隔内で設定された全てのＲＯリソースである対応関係と、
前記目標リソース指示情報の値の範囲が第２所定区間にある場合、対応するＲＯリソースは、番号が奇数であるＲＯリソースグループ内の、所定関連対象に関連付けられるＲＯリソースである対応関係と、
前記目標リソース指示情報の値の範囲が第３所定区間にある場合、対応するＲＯリソースは、番号が偶数であるＲＯリソースグループ内の、所定関連対象に関連付けられるＲＯリソースである対応関係と、
前記目標リソース指示情報の値の範囲が第４所定区間にある場合、対応するＲＯリソースは、番号が奇数であるＲＯリソースグループ内の、所定関連対象に関連付けられるインデックス番号が奇数のＲＯリソース、及び番号が偶数であるＲＯリソースグループ内の、所定関連対象に関連付けられるインデックス番号が偶数のＲＯリソースである対応関係と、
前記目標リソース指示情報の値の範囲が第５所定区間にある場合、対応するＲＯリソースは、全てのＲＯリソースグループのうちのｉ番目のサブグループ内の、所定関連対象に関連付けられる全てのＲＯリソースであり、ｉは、前記目標リソース指示情報の具体的な値に基づいて決定され、前記サブグループは、全てのＲＯリソースグループを順次均等分割して得られるものであり、ｉは、０より大きく前記サブグループの総数以下の整数である対応関係と、
前記目標リソース指示情報の値の範囲が第６所定区間にある場合、対応するＲＯリソースは、全てのＲＯリソースグループ内の、所定関連対象に関連付けられる全てのＲＯリソースのうちのｊ番目のサブグループ内のＲＯリソースであり、ｊは、前記目標リソース指示情報の具体的な値に基づいて決定され、前記サブグループは、前記所定関連対象に関連付けられる全てのＲＯリソースを順次均等分割して得られるものであり、ｊは、０より大きく前記サブグループの総数以下の整数である対応関係と、
前記目標リソース指示情報の値の範囲が第７所定区間にある場合、対応するＲＯリソースは、所定番号が付されるＲＯリソースグループから連続する所定数のＲＯリソースグループ内の、所定関連対象に関連付けられるＲＯリソースである対応関係と、
前記目標リソース指示情報の値の範囲が第８所定区間にある場合、対応するＲＯリソースは、所定番号が付されるＲＯリソースグループ内の、所定関連対象に関連付けられる全てのＲＯリソースであり、前記所定番号は前記目標リソース指示情報の具体的な値に基づいて決定される対応関係と、
前記目標リソース指示情報の値の範囲が第９所定区間にある場合、対応するＲＯリソースは、全てのＲＯリソースグループ内の、所定関連対象に関連付けられるインデックス番号が所定インデックス番号のＲＯリソースである対応関係と、
前記目標リソース指示情報の値の範囲が第１０所定区間にある場合、対応するＲＯリソースは、番号が奇数であるＲＯリソースグループ内の、所定関連対象に関連付けられるインデックス番号が所定インデックス番号のＲＯリソースである対応関係と、
前記目標リソース指示情報の値の範囲が第１１所定区間にある場合、対応するＲＯリソースは、番号が偶数であるＲＯリソースグループ内の、所定関連対象に関連付けられるインデックス番号が所定インデックス番号のＲＯリソースである対応関係と、
前記目標リソース指示情報の値の範囲が第１２所定区間にある場合、対応するＲＯリソースは、全てのＲＯリソースグループのうちのｋ番目のサブグループ内の、所定関連対象に関連付けられるインデックス番号が所定インデックス番号のＲＯリソースであり、ｋは、前記目標リソース指示情報の具体的な値に基づいて決定され、前記サブグループは、全てのリソースグループを順次均等分割して得られるものであり、ｋは、０より大きく前記サブグループの総数以下の整数である対応関係と、
前記目標リソース指示情報の値の範囲が第１３所定区間にある場合、対応するＲＯリソースは、所定番号が付されるＲＯリソースグループ内の、所定関連対象に関連付けられるインデックス番号が所定インデックス番号のＲＯリソースであり、前記所定番号は前記目標リソース指示情報の具体的な値に基づいて決定される対応関係と、
前記目標リソース指示情報の値の範囲が第１４所定区間にある場合、対応するＲＯリソースは、所定番号が付されるＲＯリソースグループから連続する所定数のＲＯリソースグループ内の、所定関連対象に関連付けられるインデックス番号が所定インデックス番号のＲＯリソースである対応関係と、
のうちの１つ又は複数の対応関係を含む、請求項２〜４のいずれか１項に記載の方法。
【請求項６】
前記端末機器に目標リソース指示情報を送信するステップは、物理下がりリンク制御チャネルＰＤＣＣＨ又は無線リソース制御ＲＲＣを介して、前記端末機器に前記目標リソース指示情報を送信するステップを含む、請求項５に記載の方法。
【請求項７】
前記ＰＤＣＣＨ又は前記ＲＲＣには、さらに、１つ又は複数の関連対象インデックス番号が搬送され、
前記所定関連対象は、前記１つ又は複数の関連対象インデックス番号に対応する関連対象である、請求項６に記載の方法。
【請求項８】
前記所定関連対象は、前記ネットワーク機器によって送信される複数の関連対象を含む、請求項６に記載の方法。
【請求項９】
前記目標リソース指示情報は、ＲＯリソースインデックスを含まなく、ＰＲＡＣＨマスクインデックスを含み、この場合、
前記ＰＲＡＣＨマスクインデックスは、指定ビットの値と残りのビットが示す値に基づいて決定される、請求項５〜８のいずれか１項に記載の方法。
【請求項１０】
前記指定ビットが最上位ビットである場合、
前記ＰＲＡＣＨマスクインデックスの最上位ビットが第１所定値であれば、前記所定インデックス番号は、前記ＰＲＡＣＨマスクインデックスの残りのビットが示す値であり、
前記ＰＲＡＣＨマスクインデックスの最上位ビットが第２所定値であれば、前記所定インデックス番号は、前記ＰＲＡＣＨマスクインデックスの残りのビットが示す値以外の値であり、
前記第１所定値と前記第２所定値は異なる、請求項９に記載の方法。
【請求項１１】
前記所定時間間隔内で設定されたＲＯリソースは、前記所定時間間隔内で設定された全てのＲＯリソースのうちの任意の数のＲＯリソース、又は、前記所定時間間隔内で設定された全てのＲＯリソースのうちの有効なＲＯリソースを含む、請求項３〜１０のいずれか１項に記載の方法。
【請求項１２】
端末機器に適用する非競合ランダムアクセスリソースの設定方法であって、
目標リソース指示情報を受信するステップであって、前記目標リソース指示情報は物理ランダムアクセスチャネル送信機会ＲＯリソースを決定するために用いられ、前記目標リソース指示情報は、物理ランダムアクセス制御チャネルＰＲＡＣＨマスクインデックスとＲＯリソースインデックスのうちの少なくとも１つを含むステップと、
前記目標リソース指示情報の値の範囲と所定マッピング関係とに基づいて、目標ＲＯリソースを決定するステップであって、前記所定マッピング関係は、前記目標リソース指示情報の値の範囲とＲＯリソースとの対応関係を含むステップと、を有する方法。
【請求項１３】
前記目標リソース指示情報の値の範囲と所定マッピング関係に基づいて、目標ＲＯリソースを決定するステップは、
前記目標リソース指示情報の値の範囲と所定マッピング関係に基づいて、前記目標リソース指示情報の値の範囲とマッチングする候補ＲＯリソースを決定するサブステップと、
前記候補ＲＯリソースの数が１に等しいとき、前記候補ＲＯリソースを前記目標ＲＯリソースとして決定するサブステップと、
前記候補ＲＯリソースの数が１より大きいとき、第１所定ルールに基づいて、前記候補ＲＯリソースから、１つ又は複数のＲＯリソースを前記目標ＲＯリソースとして選択するサブステップと、
前記候補ＲＯリソースの数が０に等しいとき、第２所定ルールに基づいて、所定時間間隔内で設定されたＲＯリソースから、１つ又は複数のＲＯリソースを目標前記ＲＯリソースとして選択するサブステップとを含む、
請求項１２に記載の方法。
【請求項１４】
前記第１所定ルールに基づいて、前記候補ＲＯリソースから、１つ又は複数のＲＯリソースを前記目標ＲＯリソースとして選択するサブステップは、
前記候補ＲＯリソースから、現在時刻に最も近い１つ又は複数の利用可能なＲＯリソースを前記目標ＲＯリソースとして選択すること、又は
前記候補ＲＯリソースから、周波数領域の周波数分割多重ＦＤＭされた複数の利用可能なＲＯリソースを前記目標ＲＯリソースとして選択すること、又は
前記候補ＲＯリソースから、時間領域の時分割多重ＴＤＭされた複数の利用可能なＲＯリソースを前記目標ＲＯリソースとして選択することを含む、
請求項１３に記載の方法。
【請求項１５】
前記第２所定ルールに基づいて、所定時間間隔内で設定されたＲＯリソースから、１つ又は複数のＲＯリソースを前記目標ＲＯリソースとして選択する段階は、
所定時間間隔内で設定されたＲＯリソースから、現在時刻に最も近い１つ又は複数の利用可能なＲＯリソースを前記目標ＲＯリソースとして選択すること、又は
所定時間間隔内で設定されたＲＯリソースから、周波数分割多重ＦＤＭの複数の利用可能なＲＯリソースを前記目標ＲＯリソースとして選択すること、又は
所定時間間隔内で設定されたＲＯリソースから、時分割多重ＴＤＭされた複数の利用可能なＲＯリソースを前記目標ＲＯリソースとして選択することを含む、
請求項１３に記載の方法。
【請求項１６】
前記所定マッピング関係は、ネットワーク機器によって前記端末機器に設定されるか、又は、プロトコルによって規定され、
前記所定マッピング関係は、ＲＯリソースグループに関わる、請求項１２〜１５のいずれか１項に記載の方法。
【請求項１７】
前記ＲＯリソースグループは、所定パラメータに基づいて所定時間間隔内で設定されたＲＯリソースをグループ化して得られるものであり、
前記所定パラメータは、ＲＯリソース識別子、ＲＯリソースの時間位置、ＲＯリソースの周波数領域位置、ＲＯリソースの関連対象のタイプ及び関連グループのうちの１つを含み、前記関連対象のタイプは、同期信号ブロックＳＳＢ又はチャネル状態参照信号ＣＳＩ−ＲＳを含み、前記関連グループは、ＲＯリソースと関連対象との１回の完全なマッピングを完了するために必要なＲＯリソースからなるセットであり、
前記所定パラメータがＲＯリソース識別子である場合、ＲＯリソースグループの数は、前記所定時間間隔内で設定されたＲＯリソースの数に等しい、
請求項１６に記載の方法。
【請求項１８】
前記所定時間間隔は、前記ネットワーク機器によるＲＯリソースの設定周期又は同期周期を含む、請求項１７に記載の方法。
【請求項１９】
前記所定マッピング関係は、
前記目標リソース指示情報の値の範囲が第１所定区間にある場合、対応するＲＯリソースは、前記所定時間間隔内でネットワーク機器によって設定された全てのＲＯリソースである対応関係と、
前記目標リソース指示情報の値の範囲が第２所定区間にある場合、対応するＲＯリソースは、番号が奇数であるＲＯリソースグループ内の、所定関連対象に関連付けられるＲＯリソースである対応関係と、
前記目標リソース指示情報の値の範囲が第３所定区間にある場合、対応するＲＯリソースは、番号が偶数であるＲＯリソースグループ内の、所定関連対象に関連付けられるＲＯリソースである対応関係と、
前記目標リソース指示情報の値の範囲が第４所定区間にある場合、対応するＲＯリソースは、番号が奇数であるＲＯリソースグループ内の、所定関連対象に関連付けられるインデックス番号が奇数のＲＯリソース、及び番号が偶数であるＲＯリソースグループ内の、所定関連対象に関連付けられるインデックス番号が偶数のＲＯリソースである対応関係と、
前記目標リソース指示情報の値の範囲が第５所定区間にある場合、対応するＲＯリソースは、全てのＲＯリソースグループのうちのｉ番目のサブグループ内の、所定関連対象に関連付けられる全てのＲＯリソースであり、ｉは、前記目標リソース指示情報の具体的な値に基づいて決定され、前記サブグループは、全てのＲＯリソースグループを順次均等分割して得られるものであり、ｉは、０より大きく前記サブグループの総数以下の整数である対応関係と、
前記目標リソース指示情報の値の範囲が第６所定区間にある場合、対応するＲＯリソースは、全てのＲＯリソースグループ内の、所定関連対象に関連付けられる全てのＲＯリソースのうちのｊ番目のサブグループ内のＲＯリソースであり、ｊは、前記目標リソース指示情報の具体的な値に基づいて決定され、前記サブグループは、前記所定関連対象に関連付けられる全てのＲＯリソースを順次均等分割して得られるものであり、ｊは、０より大きく前記サブグループの総数以下の整数である対応関係と、
前記目標リソース指示情報の値の範囲が第７所定区間にある場合、対応するＲＯリソースは、所定番号が付されるＲＯリソースグループから連続する所定数のＲＯリソースグループ内の、所定関連対象に関連付けられるＲＯリソースである対応関係と、
前記目標リソース指示情報の値の範囲が第８所定区間にある場合、対応するＲＯリソースは、所定番号が付されるＲＯリソースグループ内の、所定関連対象に関連付けられる全てのＲＯリソースであり、前記所定番号は前記目標リソース指示情報の具体的な値に基づいて決定される対応関係と、
前記目標リソース指示情報の値の範囲が第９所定区間にある場合、対応するＲＯリソースは、全てのＲＯリソースグループ内の、所定関連対象に関連付けられるインデックス番号が所定インデックス番号のＲＯリソースである対応関係と、
前記目標リソース指示情報の値の範囲が第１０所定区間にある場合、対応するＲＯリソースは、番号が奇数であるＲＯリソースグループ内の、所定関連対象に関連付けられるインデックス番号が所定インデックス番号のＲＯリソースである対応関係と、
前記目標リソース指示情報の値の範囲が第１１所定区間にある場合、対応するＲＯリソースは、番号が偶数であるＲＯリソースグループ内の、所定関連対象に関連付けられるインデックス番号が所定インデックス番号のＲＯリソースである対応関係と、
前記目標リソース指示情報の値の範囲が第１２所定区間にある場合、対応するＲＯリソースは、全てのＲＯリソースグループのうちのｋ番目のサブグループ内の、所定関連対象に関連付けられるインデックス番号が所定インデックス番号のＲＯリソースであり、ｋは、前記目標リソース指示情報の具体的な値に基づいて決定され、前記サブグループは、全てのリソースグループを順次均等分割して得られるものであり、ｋは、０より大きく前記サブグループの総数以下の整数である対応関係と、
前記目標リソース指示情報の値の範囲が第１３所定区間にある場合、対応するＲＯリソースは、所定番号が付されるＲＯリソースグループ内の、所定関連対象に関連付けられるインデックス番号が所定インデックス番号のＲＯリソースであり、前記所定番号は前記目標リソース指示情報の具体的な値に基づいて決定される対応関係と、
前記目標リソース指示情報の値の範囲が第１４所定区間にある場合、対応するＲＯリソースは、所定番号が付されるＲＯリソースグループから連続する所定数のＲＯリソースグループ内の、所定関連対象に関連付けられるインデックス番号が所定インデックス番号のＲＯリソースである対応関係と、
のうちの１つ又は複数の対応関係を含む、請求項１６〜１８のいずれか１項に記載の方法。
【請求項２０】
前記目標リソース指示情報を受信するステップは、
物理下がりリンク制御チャネルＰＤＣＣＨ又は無線リソース制御ＲＲＣに付される前記目標リソース指示情報を受信する段階を含む、請求項１９に記載の方法。
【請求項２１】
前記ＰＤＣＣＨ又は前記ＲＲＣには、さらに１つ又は複数の関連対象インデックス番号が付され、前記方法は、
前記１つ又は複数の関連対象インデックス番号に対応する関連対象を、前記所定関連対象として決定するステップをさらに有する、請求項２０に記載の方法。
【請求項２２】
前記方法は、さらに、ネットワーク機器によって送信された複数の関連対象を、前記所定関連対象として決定するステップを有する、請求項２０に記載の方法。
【請求項２３】
前記目標リソース指示情報は、ＲＯリソースインデックスを含まなく、ＰＲＡＣＨマスクインデックスを含み、前記方法は、
前記ＰＲＡＣＨマスクインデックスの指定のビットの値と残りのビットが示す値に基づいて、前記所定インデックス番号を決定するステップをさらに有する、
請求項１９〜２２のいずれか１項に記載の方法。
【請求項２４】
前記指定ビットが最上位ビットであり、この場合、前記の前記ＰＲＡＣＨマスクインデックスの最上位ビットの値と残りのビットが示す値に基づいて、前記所定インデックス番号を決定するステップは、
前記ＰＲＡＣＨマスクインデックスの最上位ビットが第１所定値であれば、前記ＰＲＡＣＨマスクインデックスの残りのビットが示す値を、前記所定インデックス番号として決定する段階と、
前記ＰＲＡＣＨマスクインデックスの最上位ビットが第２所定値であれば、前記ＰＲＡＣＨマスクインデックスの残りのビットが示す値以外の値を、前記所定インデックス番号として決定する段階とを含み、
前記第１所定値と前記第２所定値は異なる、請求項２１に記載の方法。
【請求項２５】
前記所定時間間隔内で設定されたＲＯリソースは、前記所定時間間隔内でネットワーク機器によって設定された全てのＲＯリソースのうちの任意の数のＲＯリソース、又は、前記所定時間間隔内でネットワーク機器によって設定された全てのＲＯリソースのうちの有効なＲＯリソースを含む、請求項１７〜２４のいずれか１項に記載の方法。
【請求項２６】
所定マッピング関係に基づいて目標リソース指示情報を端末機器に送信する送信モジュールを備える、ネットワーク機器であって、
前記目標リソース指示情報は、物理ランダムアクセスチャネル送信機会ＲＯリソースを決定するために用いられ、前記目標リソース指示情報は、物理ランダムアクセス制御チャネルＰＲＡＣＨマスクインデックスとＲＯリソースインデックスのうちの少なくとも１つを含み、前記所定マッピング関係は、前記目標リソース指示情報の値の範囲とＲＯリソースとの対応関係を含む、
ネットワーク機器。
【請求項２７】
物理ランダムアクセスチャネル送信機会ＲＯリソースを決定するために用いられる目標リソース指示情報であって、物理ランダムアクセス制御チャネルＰＲＡＣＨマスクインデックスとＲＯリソースインデックスのうちの少なくとも１つを含む目標リソース指示情報を受信するための受信モジュールと、
前記目標リソース指示情報の値の範囲と、前記目標リソース指示情報の値の範囲とＲＯリソースの対応関係を含む所定マッピング関係とに基づいて、目標ＲＯリソースを決定するための第１決定モジュールと、を備える端末機器。
【請求項２８】
メモリと、プロセッサと、前記メモリに記憶され前記プロセッサで実行可能な無線通信プログラムと、を備えるネットワーク機器であって、
前記無線通信プログラムは、前記プロセッサによって実行されると、請求項１〜１１のいずれか１項に記載の方法のステップを実現させる、ネットワーク機器。
【請求項２９】
メモリと、プロセッサと、前記メモリに記憶され前記プロセッサで実行可能な無線通信プログラムと、を含む端末機器であって、
前記無線通信プログラムは、前記プロセッサによって実行されると、請求項１２〜２５のいずれか１項に記載の方法のステップを実現させる、端末機器。
【請求項３０】
前記無線通信プログラムがプロセッサによって実行されると、請求項１〜１１のいずれか１項に記載の方法のステップ、又は、請求項１２〜２５のいずれか１項に記載の方法のステップを実現させる無線通信プログラムが記憶される、コンピュータ可読媒体。
【発明の詳細な説明】
【技術分野】
【０００１】
関連出願の相互参照
本出願は、２０１８年０４月０４に中国に提出された、出願番号が２０１８１０３０１９５１．０である中国特許出願を基礎出願とする優先権を主張し、その開示内容の全てが参照により本出願に取り込まれる。
本開示は、通信技術分野に関し、特に、非競合ランダムアクセスリソース構成方法、端末機器及びネットワーク機器に関する。
【背景技術】
【０００２】
ロングタームエボリューション（Ｌｏｎｇ  Ｔｅｒｍ  Ｅｖｏｌｕｔｉｏｎ、ＬＴＥ）システムでは、非競合ランダムアクセスプロセスについて、ネットワーク機器は、プリアンブルインデックス（ｐｒｅａｍｂｌｅ  ｉｎｄｅｘ）と物理ランダムアクセス制御チャネル（Ｐｈｙｓｉｃａｌ  Ｒａｎｄｏｍ  Ａｃｃｅｓｓ  Ｃｈａｎｎｅｌ、ＰＲＡＣＨ）マスクインデックス（ｍａｓｋ  ｉｎｄｅｘ）とが付される情報を端末機器に送信し、前記ＰＲＡＣＨ  ｍａｓｋ  ｉｎｄｅｘで示されたＰＲＡＣＨリソースで、前記ｐｒｅａｍｂｌｅ  ｉｎｄｅｘに対応するプリアンブル（ｐｒｅａｍｂｌｅ）を送信するように端末機器を指示し、且つ、ネットワーク機器は、通常、上記の情報を、物理下がりリンク制御チャネル（Ｐｈｙｓｉｃａｌ  Ｄｏｗｎｌｉｎｋ  Ｃｏｎｔｒｏｌ  Ｃｈａｎｎｅｌ）又は無線リソース制御（Ｒａｄｉｏ  Ｒｅｓｏｕｒｃｅ  Ｃｏｎｔｒｏｌ、ＲＲＣ）シグナリングを介して端末機器に送信する。
【０００３】
新規無線（Ｎｅｗ  Ｒａｄｉｏ、ＮＲ）システムでは、ネットワーク機器は、１つの時点（ｔｉｍｅ  ｉｎｓｔａｎｃｅ）で、複数の周波数分割多重化（Ｆｒｅｑｕｅｎｃｙ  Ｄｉｖｉｓｉｏｎ  Ｍｕｌｔｉｐｌｅｘ、ＦＤＭ）された物理ランダムアクセスチャネル送信機会（ＰＲＡＣＨ  ｔｒａｎｓｍｉｓｓｉｏｎ  ｏｃｃａｓｉｏｎ、ＰＲＡＣＨ  ｏｃｃａｓｉｏｎと書かれていてもよい）を設定することができる。且つ、１つのＰＲＡＣＨリソースの設定周期内には、複数の時点が存在かのうである。ここで、時点とは、１つのＰＲＡＣＨリソースを送信するために必要な時間であってもよく、ＰＲＡＣＨリソースを伝送するための時間領域リソース位置であるとも言える。説明の便宜上、ＰＲＡＣＨ  ｔｒａｎｓｍｉｓｓｉｏｎ  ｏｃｃａｓｉｏｎをＲＯと略記する。
【０００４】
また、ＮＲでは、ＲＯリソースと同期信号ブロック（Ｓｙｎｃｈｒｏｎｉｚａｔｉｏｎ  ｓｉｇｎａｌ  ｂｌｏｃｋ、ＳＳＢ、又はＳｙｎｃｈｒｏｎｉｚａｔｉｏｎ  ｓｉｇｎａｌ／Ｐｈｙｓｉｃａｌ  ｂｒｏａｄｃａｓｔ  ｓｉｇｎａｌ  ｂｌｏｃｋ、ＳＳ／ＰＢＣＨ  ｂｌｏｃｋとも呼ばれる）との間には関連関係があり得る。例えば、１つのＲＯリソースは｛１／８、１／４、１／２、１、２、４、８、１６｝など複数のＳＳＢに関連付けられてもよい。非競合ランダムアクセスプロセスについて、ＲＯリソースは、チャネル状態参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌｓ、ＣＳＩ−ＲＳ）との間には関連関係があり得る。また、１つのＰＲＡＣＨリソースの設定周期内で設定されたＲＯリソースの総数が、２回のＳＳＢ−ＲＯ（又はＣＳＩ−ＲＳ−ＲＯ）マッピングを完了するために必要なＲＯリソースの数以上である場合、これらのＲＯリソースでＳＳＢ−ＲＯ（又はＣＳＩ−ＲＳ−ＲＯ）マッピングを繰り返すことができる。理解を容易にするために、ここで、ＲＯリソースに関連付けられるＳＳＢ又はＣＳＩ−ＲＳを、ＲＯリソースの関連対象と呼ぶ。
【０００５】
現在、１つのＰＲＡＣＨリソースの設定期間内では、各々のＲＯリソースを明確に示すには、ネットワーク機器はより多くのビット数を必要とする。例えば、ＦＲ１（Ｆｒｅｑｕｅｎｃｙ  Ｒａｎｇｅ１）の周波数分割複信（Ｆｒｅｑｕｅｎｃｙ  Ｄｉｖｉｓｉｏｎ  Ｄｕｐｌｅｘ、ＦＤＤ）の方式では、１つのＰＲＡＣＨリソースの設定期間内に１４０個の時点があり、それぞれの時点に８個のＲＯリソースが対応して存在する場合、各々のＲＯリソースを明確に示すため、１４０＊８個のＲＯリソースを示すには１３個のビット、ＲＯリソースのインデックスを示すには３個のビット、ＰＲＡＣＨ  ｍａｓｋ  ｉｎｄｅｘを示すには８個のビットが必要である。ＦＲ２（Ｆｒｅｑｕｅｎｃｙ  Ｒａｎｇｅ２）の時分割複信（Ｔｉｍｅ  Ｄｉｖｉｓｉｏｎ  Ｄｕｐｌｅｘ（ｉｎｇ）、ＴＤＤ）の方式では、１つのＰＲＡＣＨリソースの設定期間内に５６０個の時点があり、それぞれの時点に８個のＲＯリソースが対応して存在する場合、各々のＲＯリソースを明確に示すため、５６０＊８個のＲＯリソースを示すには１３個のビットが必要であり、そのうち、ＲＯリソースのインデックスを示すには３個のビット、ＰＲＡＣＨ  ｍａｓｋ  ｉｎｄｅｘを示すには１０個のビットが必要である。
【０００６】
しかしながら、ＰＤＣＣＨの運搬能力には限界があり、各々のＲＯリソースを明確に示すための十分なビットを提供できない可能性がある。一方、１回の完全なＳＳＢ−ＲＯ（又はＣＳＩ−ＲＳ−ＲＯ）マッピングを完了するのに必要なＲＯリソースが少ない場合、多くの時点が配分されると、これらの時点でマッピングが数十回又は数百回繰り返される可能性があり、その結果、他の上がり信号に用いられるリソースは少なくなる。このような設定方式は、上がり制御及びデータの伝送に大きな影響を与えるため、このように設定する可能性は非常に小さく、また、このような設定のために、十数ビットのＰＲＡＣＨリソース指示情報を導入すると、ビットの無駄が生じる。したがって、より少ないビット数（例えば、４ビット）で利用可能なＰＲＡＣＨリソースを柔軟に示すような設計が必要となる。
【発明の概要】
【０００７】
本開示の実施例は、非競合アクセスプロセスのＲＯリソースを示すためのビットのオーバーヘッドを低減し得る、非競合ランダムアクセスリソースの設定方法及び機器を提供する。
第１態様によれば、本開示の実施例は、ネットワーク機器に適用する非競合ランダムアクセスリソースの設定方法を提供する。前記方法は、
所定マッピング関係に基づいて、目標リソース指示情報を端末機器に送信するステップを有する。
ここで、前記目標リソース指示情報は、物理ランダムアクセスチャネル送信機会ＲＯリソースを決定するために用いられ、前記目標リソース指示情報は、物理ランダムアクセス制御チャネルＰＲＡＣＨマスクインデックスとＲＯリソースインデックスのうちの少なくとも１つを含み、前記所定マッピング関係は、前記目標リソース指示情報の値の範囲とＲＯリソースとの対応関係を含む。
【０００８】
第２態様によれば、本開示の実施例は、端末デバイスに適用する非競合ランダムアクセスリソースの設定方法を提供する。前記方法は、
目標リソース指示情報を受信するステップであって、前記目標リソース指示情報は物理ランダムアクセスチャネル送信機会ＲＯリソースを決定するために用いられ、前記目標リソース指示情報は、物理ランダムアクセス制御チャネルＰＲＡＣＨマスクインデックスとＲＯリソースインデックスのうちの少なくとも１つを含むステップと、
前記目標リソース指示情報の値の範囲と所定マッピング関係とに基づいて、目標ＲＯリソースを決定するステップであって、前記所定マッピング関係は、前記目標リソース指示情報の値の範囲とＲＯリソースとの対応関係を含むステップと、を有する。
【０００９】
第３態様によれば、本開示の実施例は、ネットワーク機器を提供する。該ネットワーク機器は、所定マッピング関係に基づいて、目標リソース指示情報を端末デバイスに送信するための送信モジュールを備える。
ここで、前記目標リソース指示情報は、物理ランダムアクセスチャネル送信機会ＲＯリソースを決定するために用いられ、前記目標リソース指示情報は、物理ランダムアクセス制御チャネルＰＲＡＣＨマスクインデックスとＲＯリソースインデックスのうちの少なくとも１つを含み、前記所定マッピング関係は、前記目標リソース指示情報の値の範囲とＲＯリソースとの対応関係を含む。
【００１０】
第４態様によれば、本開示の実施例は、端末デバイスを提供する。該端末デバイスは、
物理ランダムアクセスチャネル送信機会ＲＯリソースを決定するために用いられる目標リソース指示情報であって、物理ランダムアクセス制御チャネルＰＲＡＣＨマスクインデックスとＲＯリソースインデックスのうちの少なくとも１つを含む目標リソース指示情報を受信するための受信モジュールと、
前記目標リソース指示情報の値の範囲と、前記目標リソース指示情報の値の範囲とＲＯリソースの対応関係を含む所定マッピング関係とに基づいて、目標ＲＯリソースを決定するための第１決定モジュールと、をを備える。
【００１１】
第５態様によれば、本開示の実施例は、ネットワーク機器を提供する。当該ネットワーク機器は、
メモリと、プロセッサと、前記メモリに記憶され前記プロセッサで実行可能な無線通信プログラムと、
を備え、前記無線通信プログラムは、前記プロセッサによって実行されると、第１態様に記載の方法のステップを実現させる。
【００１２】
第６態様によれば、本開示の実施例は、端末デバイスを提供する。該端末デバイスは、
メモリと、プロセッサと、前記メモリに記憶され前記プロセッサで実行可能な無線通信プログラムと、を備え、前記無線通信プログラムは、前記プロセッサによって実行されると、第２態様に記載の方法のステップを実現させる。
【００１３】
第７態様によれば、本開示の実施例は、プロセッサによって実行されると、第１態様又は第２態様に記載の方法のステップを実現させる無線通信プログラムが記憶される、コンピュータ可読媒体を提供する。
【００１４】
本開示の実施例において、ネットワーク機器は所定マッピング関係に基づいて、端末機器に目標リソース指示情報を送信する。前記目標リソース指示情報は、物理ランダムアクセスチャネル送信機会ＲＯリソースを決定するために用いられ、前記目標リソース指示情報は、物理ランダムアクセス制御チャネルＰＲＡＣＨマスクインデックスとＲＯリソースインデックスのうちの少なくとも１つを含み、前記所定マッピング関係は、目標リソース指示情報の値の範囲とＲＯリソースとの対応関係である。ＲＯリソースの指示は、ネットワーク機器がより少ないコンテンツの目標リソース指示情報を端末機器に送信することによって達成され得るので、非競合アクセスプロセスのＲＯリソースを示すために必要なビットのオーバーヘッドが低減され得る。さらに、このような目標リソース指示情報の値の範囲とＲＯリソースとの対応関係により、物理ランダムアクセスチャネル送信機会ＲＯリソースを決定する方式は、より柔軟であり、ネットワーク機器によるＲＯリソース設定の柔軟性を向上させる。
以下、本開示の実施例又は従来技術の技術案をより明確に説明するために、実施例又は従来技術の説明に使用する図面について簡単に説明するが、以下の説明における図面は、本開示の実施例の一部にすぎないことは明らかであり、当業者は、格別の創意を要することなく、これらの図面に基づいて他の図面を得ることもできる。
【図面の簡単な説明】
【００１５】
【図１】本開示の実施例に係わる非競合ランダムアクセスリソースの設定方法の概略フローチャートである。
【図２】本開示の実施例に係わるＲＯリソースと関連対象との関連関係を示す図である。
【図３】本開示の実施例に係わるＲＯリソースと関連対象との他の関連関係を示す図である。
【図４】本開示の実施例に係わるＲＯリソースと関連対象とのさらに他の関連関係を示す図である。
【図５】本開示の実施例に係わる他の非競合ランダムアクセスリソースの設定の方法の概略フローチャートである。
【図６】本開示の実施例に係わるネットワーク機器６００の構成を示す図である。
【図７】本開示の実施例に係わる端末機器７００の構成を示す図である。
【図８】本開示の実施例に係わるネットワーク機器８００の構成を示す図である。
【図９】本開示の実施例に係わる端末機器９００の構成を示す図である。
【発明を実施するための形態】
【００１６】
以下、当業者が本願に係る技術案をより良く理解するため、本開示の実施例の添付の図面を参照して、本開示の実施例に係る技術案を明確且つ完全に説明する。明らかに、説明される実施例は、本願の一部の実施例であり、全ての実施例ではない。格別の創意を要せに本願の実施例に基づいて、当業者によって得られた全てのその他の実施例は、本願の保護範囲内に含まれる。
【００１７】
本開示の実施例に係る技術案は、例えば、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、略称ＧＳＭ）システム、符号分割多元接続（Ｃｏｄｅ  Ｄｉｖｉｓｉｏｎ  Ｍｕｌｔｉｐｌｅ  Ａｃｃｅｓｓ、略称ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称ＷＣＤＭＡ(登録商標)）システム、汎用パケット無線サービス（Ｇｅｎｅｒａｌ  Ｐａｃｋｅｔ  Ｒａｄｉｏ  Ｓｅｒｖｉｃｅ、略称ＧＰＲＳ）、ロングタームエボリューション（Ｌｏｎｇ  Ｔｅｒｍ  Ｅｖｏｌｕｔｉｏｎ、略称ＬＴＥ）システム、ＬＴＥ周波数分割複信（Ｆｒｅｑｕｅｎｃｙ  Ｄｉｖｉｓｉｏｎ  Ｄｕｐｌｅｘ、略称ＦＤＤ）システム、ＬＴＥ時分割複信（Ｔｉｍｅ  Ｄｉｖｉｓｉｏｎ  Ｄｕｐｌｅｘ、略称ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称ＵＭＴＳ）、又はワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、第５世代（５−ｔｈ  Ｇｅｎｅｒａｔｉｏｎ、５Ｇ）移動通信システム、又は新無線（Ｎｅｗ  Ｒａｄｉｏ、略称ＮＲ）などのような様々な通信システムに適用可能である。
【００１８】
ユーザ機器（Ｕｓｅｒ  Ｅｑｕｉｐｍｅｎｔ、ＵＥ）は、モバイル端末（Ｍｏｂｉｌｅ  Ｔｅｒｍｉｎａｌ）、モバイル端末機器などとも呼ばれ、無線アクセスネットワーク（例えば、Ｒａｄｉｏ  Ａｃｃｅｓｓ  Ｎｅｔｗｏｒｋ、略称ＲＡＮ）を介して、少なくとも１つのコアネットワークと通信可能であり、端末機器は、携帯電話（又は「セルラー」電話と呼ばれる）などのモバイル端末、及びモバイル端末を有するコンピュータであってもよく、例えば、携帯型、ポケットサイズ、ハンドヘルド、コンピュータ内蔵又は車載のモバイル装置であってもよく、これらは、無線アクセスネットワークと、言語及び／又はデータを交換する。
【００１９】
ネットワーク機器は、無線アクセスネットワーク装置に配備され、端末機器に非競合ランダムアクセスリソースの設定機能を提供するために用いられる装置である。前記ネットワーク機器は、ＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよく、又はＷＣＤＭＡ(登録商標)における基地局（Ｎｏｄｅ  Ｂ）であってもよく、さらにＬＴＥにおける進化型基地局（ｅｖｏｌｕｔｉｏｎａｌ  Ｎｏｄｅ  Ｂ、ｅＮＢ又はｅ−ＮｏｄｅＢ）及び５Ｇ基地局（ｇＮＢ）であってもよい。
【００２０】
説明すべきなのは、具体的な実施例を説明するとき、各プロセスの番号の大小は、実行順序の先後を意味するものではなく、各プロセスの実行順序は、その機能及び内因性の論理によって決定されるべきであり、本開示の実施例の実施プロセスは、何ら限定されない。
【００２１】
以下、まず、図１〜図４を参照して、ネットワーク機器に適用する非競合ランダムアクセスリソースの設定方法について説明する。
【００２２】
図１は、本開示の１つの実施例に係わるネットワーク機器に適用する非競合ランダムアクセスリソースの設定方法を示す。図１に示すように、この方法には以下のステップを含む。
【００２３】
ステップ１０１：所定マッピング関係に基づいて、端末機器に目標リソース指示情報を送信する。前記目標リソース指示情報は、物理ランダムアクセスチャネル送信機会（ＰＲＡＣＨ  ｔｒａｎｓｍｉｓｓｉｏｎ  ｏｃｃａｓｉｏｎ、ＲＯ）リソースを決定するために用いられ、前記目標リソース指示情報は、物理ランダムアクセス制御チャネルＰＲＡＣＨマスクインデックス（ｍａｓｋ  ｉｎｄｅｘ）とＲＯリソースインデックス（ＲＯ  ｉｎｄｅｘ）のうちの少なくとも１つを含み、前記所定マッピング関係は、前記目標リソース指示情報の値の範囲とＲＯリソースとの対応関係である。
【００２４】
所定マッピング関係は、前記ネットワーク機器によって予め決定されてもよいし、プロトコルによって規定されてもよく、且つ、前記所定マッピング関係は、ＲＯリソース・グループに関わる。一例において、上述した所定マッピング関係は、具体的には、ＲＯリソースグループに基づいて、ネットワーク機器によって決定されてもよく、他の一例では、上述した所定マッピング関係は、ＲＯリソースグループと他の参照要素との組み合わせに基づいて、ネットワーク機器によって決定されてもよい。他の参照要素として、周波数帯域（例えば、ＦＲ１又はＦＲ２）、方式（例えば、ＦＤＤ又はＴＤＤ）など挙げられる。
【００２５】
目標リソース指示情報は、ネットワーク機器が端末機器に送信しようとするＲＯリソースの指示情報であってもよい。
【００２６】
目標リソース指示情報の値の範囲については、例えば、目標リソース指示情報がＰＲＡＣＨマスクインデックスのみを含む場合、目標リソース指示情報の値の範囲は、具体的には、ＰＲＡＣＨマスクインデックスの番号であってもよいし；目標リソース指示情報がＲＯリソースインデックスのみを含む場合、目標リソース指示情報の値の範囲は、具体的には、ＲＯリソースインデックスの番号であってもよいし；目標リソース指示情報がＰＲＡＣＨマスクインデックスとＲＯリソースインデックスの両方を含む場合、目標リソース指示情報の値の範囲は、具体的には、ＰＲＡＣＨマスクインデックスの番号とＲＯリソースインデックスの番号から構成される二値の組み合わせであってもよい。
【００２７】
目標リソース指示情報に含まれるＰＲＡＣＨマスクインデックス又はＲＯリソースインデックスの数は、１つであってもよいし、複数であってもよいことは理解され得る。
【００２８】
ＲＯリソースのグループについて、具体的には、所定パラメータに基づいて、所定時間間隔内で設定されたＲＯリソースをグループ化して得られてもよい。前記所定パラメータは、ＲＯリソース識別子、ＲＯリソースの時間位置、ＲＯリソースの周波数領域位置、ＲＯリソースの関連対象のタイプ及び関連グループのうちの１つを含み、前記関連対象のタイプは、同期信号ブロックＳＳＢ又はチャネル状態参照信号ＣＳＩ−ＲＳを含み、前記関連グループは、ＲＯリソースと関連対象との１回の完全なマッピングを完了するために必要なＲＯリソースからなるセットである。
ここで、所定時間間隔は、ネットワーク機器によるＲＯリソースの設定周期であってもよく、ＲＯリソースはＰＲＡＣＨリソースであるので、ＲＯリソースの設定周期は、ネットワーク機器によるＰＲＡＣＨリソース設定の設定周期とも理解され得る。あるいは、所定時間間隔は、同期周期であってもよい。同期周期とは、ＲＯと関連対象との１回の完全なマッピングを完了するために必要な最短時間であり、通常、この最短時間は、上述した設定周期の１倍、２倍、又は４倍である。
【００２９】
以下、各所定パラメータに基づいて、所定時間間隔で設定されたＲＯリソースをグループ化する場合について、詳細な例に合わせて説明する。
【００３０】
ＲＯリソース識別子でＲＯリソースをグループ化する例において、ＲＯリソース識別子は、所定時間間隔内でネットワーク機器によって設定される各ＲＯリソースの識別子であると理解されてよく、且つ、異なるＲＯリソースは識別子が異なる。このように、前記所定パラメータがＲＯリソース識別子である場合、ＲＯリソースグループの数は、前記所定時間間隔内で設定されるＲＯリソースの数に等しい。例えば、１つのＰＲＡＣＨリソースの設定期間内で、ネットワーク機器が１０個のＲＯリソースを設定したとすると、１０個の異なるＲＯリソース識別子が対応して存在し、これに応じて、ＲＯリソースは、１０個のグループに分割され、各グループには１つのＲＯリソースを含まれる。
【００３１】
ＲＯリソースの時間位置でＲＯリソースをグループ化する例において、時間位置は時間領域機会又は時点（ｔｉｍｅ  ｉｎｓｔａｎｃｅ）であると理解されてもよく、且つ、具体的には、同じ時間位置を有するＲＯリソースを同一のグループに配分することができ、例えば、シンボル（ｓｙｍｂｏｌ）Ｎからシンボルｎ＋Ｎまでの全てのＲＯリソースを同一のグループに配分する。ここで、Ｎは、現在設定されたプリアンブルフォーマット（ｆｏｒｍａｔ）で１つのＲＯリソースが占めるシンボルの数である。
【００３２】
ＲＯリソースの周波数領域位置でＲＯリソースをグループ化する例において、周波数領域位置は、１つの周波数帯域又は１つの具体的な周波数であってもよく、具体的には、同じ周波数領域位置を有するＲＯリソースを同一のグループに配分することができる。
【００３３】
ＲＯリソースの関連対象のタイプでＲＯリソースをグループ化する例をより分かりやすくするため、以下、関連対象がＳＳＢである場合を例にして、ＲＯリソースと関連対象との関連付けを説明する。ＮＲでは、ＲＯリソースとネットワーク機器が実際に送信するＳＳＢとの間に関連関係があり得、且つ、１つのＲＯリソースには複数のＳＳＢが関連付けられてもよく、具体的には、１つのＲＯリソースに関連付けられるＳＳＢの数は、｛１／８  、１  ／  ４、１  ／  ２、１、２、４、８、１６｝であり得る。例えば、図２に示すように、１つのＲＯリソースには１／８個のＳＳＢが関連付けられ、１つの時点で４つのＲＯリソースがＦＤＭされるとすると、合計３個のＳＳＢがあり、且つ、これらの３個のＳＳＢには、１〜３の番号が付され、具体的には、ＳＳＢ１、ＳＳＢ２及びＳＳＢ３と示される（実際には０〜２の番号が付されてもよく、具体的には、ＳＳＢ０、ＳＳＢ１、ＳＳＢ２と示される）。図２では、Ｔは１つのＰＲＡＣＨリソースの設定周期を表し、１つのグリッドは１つのＲＯリソースを表し、塗りつぶしパターンが異なるグリッドは、異なるＳＳＢに関連付けられるＲＯリソースを表し、グリッドの行数は、１つの時点におけるＲＯリソースの数を示し、グリッドの列数は、時点の数を示す。ここで、ネットワーク機器が実際に送信するＳＳＢの数は、ネットワーク機器が送信可能なＳＳＢの数以下である。
【００３４】
これに基づいて、ＲＯリソースの関連対象のタイプでＲＯリソースをグループ化する例において、同じ関連対象のタイプを有するＲＯリソースを同一のグループに配分することができ、且つ、同一のグループ内の各々のＲＯリソースに関連付けられる関連対象は、１つ又は複数であり得る。例えば、１つのＳＳＢに関連付けられ、且つ、全てのＳＳＢ１にも関連付けられるＲＯリソースを同一のグループに配分する。別の例では、２つのＳＳＢに関連付けられ、且つ、ＳＳＢ２とＳＳＢ３の両方にも関連付けられるＲＯリソースを、同一のグループに配分する。その他は、同様とする。
【００３５】
関連グループでＲＯリソースをグループ化する例をより分かりやすくするために、以下、関連対象がＳＳＢである場合を例にして、関連グループを説明する。上述したように、関連グループは、ＲＯリソースと関連対象との１回の完全なマッピングを完了するために必要なＲＯリソースからなるセットである。具体的には、１つのＰＲＡＣＨリソースの設定周期内で、ネットワーク機器によって設定されたＲＯリソースの総数が、２回の完全なＳＳＢ−ＲＯ（又はＣＳＩ−ＲＳ−ＲＯ）マッピングを完了するために必要なＲＯリソースの数以上である場合、設定されたこれらのＲＯリソースにＳＳＢ−ＲＯ（又はＣＳＩ−ＲＳ−ＲＯ）マッピングを繰り返すことができる。
【００３６】
図３に示すように、１つのＲＯリソースが１／８個のＳＳＢに関連付けられ、合計３個のＳＳＢがあり、この３個のＳＳＢは１〜３の番号が付されり、それぞれ図３におけるＳＳＢ１、ＳＳＢ２及びＳＳＢ３に対応するとすると、１回の完全のＳＳＢ−ＲＯマッピングを完了するために、８＊３＝２４個のＲＯリソースが必要であり、１つのＰＲＡＣＨリソースの設定周期Ｔ内には、１２個の時点があり、１つの時点で４つのＲＯリソースがＦＤＭされるとすると、１つのＰＲＡＣＨリソースの設定周期Ｔ内に、合計１２＊４＝４８個のＲＯリソースがあり、さらに、該ＰＲＡＣＨリソースの設定周期内に、２回の完全なＳＳＢ−ＲＯマッピングを繰り返すことができる。
【００３７】
また、例えば、１つのＰＲＡＣＨリソースの設定周期Ｔ内で設定されたＲＯリソースの総数が７２である場合、その設定周期内で、３回の完全なＳＳＢ−ＲＯマッピングを繰り返すことができ、１つのＰＲＡＣＨリソースの設定周期Ｔ内で設定されたＲＯリソースの総数がより多い場合、完全なＳＳＢ−ＲＯマッピングをより多く繰り返すことができる。その他は、同様とする。
【００３８】
これに基づいて、関連グループでＲＯリソースをグループ化する例において、同じ関連グループを有するＲＯリソースを同一のグループに配分することができる。
【００３９】
上記で言及したＲＯリソースインデックスとＲＯリソース識別子の意味を区分するため、以下、図４を参照して、ＲＯリソースインデックスの意味について説明する。ＲＯリソース識別子の意味については、上述を参照されたい。
本発明の背景技術の部分で記載したように、ＬＴＥでは、非競合ランダムアクセスプロセスについて、ネットワーク機器は、通常、ＰＳＣＣＨ又はＲＲＣを介して、プリアンブルインデックス（ｐｒｅａｍｂｌｅ  ｉｎｄｅｘ）とＰＲＡＣＨマスクインデックス（ｍａｓｋ  ｉｎｄｅｘ）とが付される情報を端末機器に送信して、前記ＰＲＡＣＨマスクインデックスで示されたＰＲＡＣＨリソースで、前記ｐｒｅａｍｂｌｅ  ｉｎｄｅｘに対応するプリアンブルを送信するように端末機器を指示する。また、ＮＲでは、非競合ランダムアクセスプロセスをトリガーするＰＤＣＣＨに、３ビットのＲＯ  ｉｎｄｅｘ及び６ビットのＳＳＢ  ｉｎｄｅｘが付されることを許容する。ここで、ＳＳＢ  ｉｎｄｅｘはＳＳＢのインデックスであり、ＲＯ  ｉｎｄｅｘは該ＳＳＢ  ｉｎｄｅｘに関連付けられるＲＯリソースのインデックスである。例えば、合計３個のＳＳＢがあり、各々のＳＳＢが８個のＲＯリソースに関連付けられるとすると、ＳＳＢ  ｉｎｄｅ＝３、ＲＯ  ｉｎｄｅ＝２の場合、ＳＳＢ３に関連付けられるＲＯ２が示される。
【００４０】
図４を参照すると、ＲＯ２に関して２つの理解があり得る。１つは、現在時点でＦＤＭのＲＯリソースにおける周波数領域番号が２のＲＯであり、例えば、図４の数字２、６が位置するグリッドを指す。もう１つは、現在ＳＳＢ−ＲＯマッピングにおいて、ＳＳＢ３に関連付けられるＲＯリソースのうちのインデックス番号が２のＲＯリソース、例えば図４の数字２が位置するグリッドを指す。
【００４１】
例示的に、ステップ１０１における所定マッピング関係は、以下の１４項の対応関係のうちの１つ又は複数を含み得るが、これらに限定されない。
【００４２】
（１）目標リソース指示情報の値の範囲が第１所定区間にある場合、対応するＲＯリソースは、前記所定時間間隔内で設定された全てのＲＯリソースである。
【００４３】
（２）目標リソース指示情報の値の範囲が第２所定区間にある場合、対応するＲＯリソースは、番号が奇数であるＲＯリソースグループ内の、所定関連対象に関連付けられるＲＯリソースである。
例えば、関連グループでＲＯリソースをグループ化する場合、目標リソース指示情報におけるＰＲＡＣＨマスクインデックスの値が１であれば、対応するＲＯリソースは、各奇数番目の関連グループ内の、所定関連対象に関連付けられるＲＯリソースである。後述では、所定関連対象を統一に説明するが、ここでは説明を省略する。
【００４４】
（３）目標リソース指示情報の値の範囲が第３所定区間にある場合、対応するＲＯリソースは、番号が偶数であるＲＯリソースグループ内の、所定関連対象に関連付けられるＲＯリソースである。
例えば、関連グループでＲＯリソースをグループ化する場合、目標リソース指示情報におけるＰＲＡＣＨマスクインデックスの値が２であれば、対応するＲＯリソースは、各偶数番目の関連グループ内の、所定関連対象に関連付けられるＲＯリソースである。
【００４５】
（４）目標リソース指示情報の値の範囲が第４所定区間にある場合、対応するＲＯリソースは、番号が奇数であるＲＯリソースグループ内の、所定関連対象に関連付けられるインデックス番号が奇数のＲＯリソース、及び番号が偶数であるＲＯリソースグループ内の、所定関連対象に関連付けられるインデックス番号が偶数のＲＯリソースである。
例えば、関連グループでＲＯリソースをグループ化する場合、目標リソース指示情報におけるＰＲＡＣＨマスクインデックスの値が３であれば、対応するＲＯリソースは、奇数番目の関連グループ内の、所定関連対象に関連付けられるＲＯリソースのインデックス番号が奇数のＲＯリソース、及び偶数番目の関連グループ内の、所定関連対象に関連付けられるＲＯリソースのうちのインデックス番号が偶数のＲＯリソースである。
【００４６】
（５）目標リソース指示情報の値の範囲が第５所定区間にある場合、対応するＲＯリソースは、全てのＲＯリソースグループのうちのｉ番目のサブグループ内の、所定関連対象に関連付けられる全てのＲＯリソースであり、ここで、ｉは、前記目標リソース指示情報の具体的な値に基づいて決定され、前記サブグループは、全てのＲＯリソースグループを順次均等分割して得られるものであり、ｉは、０より大きく前記サブグループの総数以下の整数である。
例えば、関連グループでＲＯリソースをグループ化する場合、目標リソース指示情報におけるＰＲＡＣＨマスクインデックスの値が１であれば、対応するＲＯリソースは、前の２分の１の関連グループ内の、所定関連対象に関連付けられるＲＯリソースであり；又は、目標リソース指示情報におけるＰＲＡＣＨマスクインデックスの値が２である場合、対応するＲＯリソースは、後の２分の１の関連グループ内の、所定関連対象に関連付けられるＲＯリソースである。即ち、全てのＲＯリソースグループを順次均等となる前後の２つのサブグループ（ｉは｛１、２｝を取ることができる）に分割する。このサブグループを１／２サブグループと呼ぶことができ、前の２分の１の関連グループが１番目（ｉ＝１）の１／２サブグループであり、後の２分の１の関連グループが２番目（ｉ＝２）の１／２サブグループである。
また、全てのＲＯリソースグループを順次均等となる４つのサブグループ（ｉは｛１、２、３、４｝を取ることができる）に分割する場合、これらのサブグループを１／４サブグループと呼ぶことができ、これで、１番目（ｉ＝１）の１／４サブグループ、２番目（ｉ＝２）の１／４サブグループ、３番目（ｉ＝３）の１／４サブグループと、４番目（ｉ＝４）の１／４サブグループが存在するようになる。このとき、目標リソース指示情報におけるＰＲＡＣＨマスクインデックスの値が１であれば、対応するＲＯリソースは、１番目の４分の１の関連グループ内の、所定関連対象に関連付けられるＲＯリソースであり；又は、目標リソース指示情報におけるＰＲＡＣＨマスクインデックスの値が２である場合、対応するＲＯリソースは、２番目の４分の１の関連グループ内の、所定関連対象に関連付けられるＲＯリソースである。
【００４７】
（６）目標リソース指示情報の値の範囲が第６所定区間にある場合、対応するＲＯリソースは、全てのＲＯリソースグループ内の、所定関連対象に関連付けられる全てのＲＯリソースのうちのｊ番目のサブグループのＲＯリソースである。ここで、ｊは、前記目標リソース指示情報の具体的な値に基づいて決定され、前記サブグループは、前記所定関連対象に関連付けられる全てのＲＯリソースを順次均等分割して得られるものであり、ｊは、０より大きく前記サブグループの総数以下の整数である。
例えば、前記所定関連対象に関連付けられる全てのＲＯリソースを順次均等となる前、後の２つのサブグループ（ｊは｛１、２｝を取ることができる）に分割すると、このサブグループを１／２サブグループと呼ぶことができ、各関連グループの前の２分の１が１番目（ｉ＝１）の１／２サブグループであり、各関連グループの後の２分の１が２番目（ｉ＝２）の１／２サブグループである。
また、前記所定関連対象に関連付けられる全てのＲＯリソースを順次均等となる４つのサブグループ（ｊは｛１、２、３、４｝を取ることができる）に分割すると、これらのサブグループを１／４サブグループと呼ぶことができ、各関連グループの最初の４分の１が１番目（ｉ＝１）の１／４サブグループであり、各関連グループの２番目の４分の１が２番目（ｉ＝２）の１／４サブグループであり、各関連グループの３番目の４分の１が３番目（ｉ＝３）の１／４サブグループであり、各関連グループの最後の４分の１が４番目（ｉ＝４）の１／４サブグループである。
【００４８】
（７）目標リソース指示情報の値の範囲が第７所定区間にある場合、対応するＲＯリソースは、所定番号が付されるＲＯリソースグループから連続する所定数のＲＯリソースグループ内の、所定関連対象に関連付けられるＲＯリソースである。
例えば、関連グループでＲＯリソースをグループ化する場合、目標リソース指示情報におけるＰＲＡＣＨマスクインデックスの値が７であれば、対応するＲＯリソースは、Ｘ番目の関連グループから連続するＹ個のグループ内の、所定関連対象に関連付けられるＲＯリソースである。
【００４９】
（８）目標リソース指示情報の値の範囲が第８所定区間にある場合、対応するＲＯリソースは、所定番号が付されるＲＯリソースグループ内の、所定関連対象に関連付けられる全てのＲＯリソースである。ここで、前記所定番号は前記目標リソース指示情報の具体的な値に基づいて決定される。
例えば、関連グループでＲＯリソースをグループ化する場合、目標リソース指示情報におけるＰＲＡＣＨマスクインデックスの値が８であれば、対応するＲＯリソースは、９番目のＲＯリソースグループ内の、所定関連対象に関連付けられるＲＯリソースである。
【００５０】
（９）目標リソース指示情報の値の範囲が第９所定区間にある場合、対応するＲＯリソースは、全てのＲＯリソースグループ内の、所定関連対象に関連付けられるインデックス番号が所定インデックス番号のＲＯリソースである。
ここで、所定インデックス番号は、前記ＰＲＡＣＨマスクインデックスの指定ビットの値と残りのビットが示す値に基づいて決定されてもよい。
例えば、関連グループでＲＯリソースをグループ化する場合、指定ビットを最上位ビットと仮定し、目標リソース指示情報におけるＰＲＡＣＨマスクインデックスの値が９であり、対応する２進数が１１１であり、このＰＲＡＣＨマスクインデックスの最上位ビットの値が１であり、残りのビットが示す値が３であれば、残りのビットが示す値を所定インデックス番号として決定すると、対応するＲＯリソースは、全てのＲＯリソースグループ内の、所定関連対象に関連付けられるインデックス番号が３のＲＯリソース（即ち、ＲＯ３）であってもよい。
【００５１】
（１０）目標リソース指示情報の値の範囲が第１０所定区間にある場合、対応するＲＯリソースは、番号が奇数であるＲＯリソースグループ内の、所定関連対象に関連付けられるインデックス番号が所定インデックス番号のＲＯリソースである。
ここで、所定インデックス番号の決定方法は、９項の対応関係と類似してもよく、以下ではその説明を省略する。
【００５２】
（１１）目標リソース指示情報の値の範囲が第１１所定区間にある場合、対応するＲＯリソースは、番号が偶数であるＲＯリソースグループ内の、所定関連対象に関連付けられるインデックス番号が所定インデックス番号のＲＯリソースである。
【００５３】
（１２）目標リソース指示情報の値の範囲が第１２所定区間にある場合、対応するＲＯリソースは、全てのＲＯリソースグループのうちのｋ番目のサブグループ内の、所定関連対象に関連付けられるインデックス番号が所定インデックス番号のＲＯリソースであり、ｋは、前記目標リソース指示情報の具体的な値に基づいて決定され、前記サブグループは、全てのリソースグループを順次均等分割して得られるものであり、ｋは、０より大きく前記サブグループの総数以下の整数である。
この対応関係では、サブグループの分割、及びｋの値の決定は、（５）項と同様であるので、ここではその説明を省略する。
【００５４】
（１３）目標リソース指示情報の値の範囲が第１３所定区間にある場合、対応するＲＯリソースは、所定番号が付されるＲＯリソースグループ内の、所定関連対象に関連付けられるインデックス番号が所定インデックス番号のＲＯリソースであり、前記所定番号は前記目標リソース指示情報の具体的な値に基づいて決定される。
【００５５】
（１４）目標リソース指示情報の値の範囲が第１４所定区間にある場合、対応するＲＯリソースは、所定番号が付されるＲＯリソースグループから連続する所定数のＲＯリソースグループ内の、所定関連対象に関連付けられるインデックス番号が所定インデックス番号のＲＯリソースである。
【００５６】
説明すべきなのは、上述した１４項の対応関係は、所定マッピング関係に含まれる対応関係を全て網羅するものではなく、当業者は、本開示の実施例の技術的思想に基づいて、より多くの対応関係、又は、目標リソース指示情報の異なる値によって示されるより多くの意味を拡張することができる。
【００５７】
また説明すべきなのは、上記の第１所定区間から第１４所定区間の間に含まれる値は、１つであってもよいし、複数であってもよい。
【００５８】
実際のアプリケーションにおいて決定された目標リソース指示情報の値の範囲とＲＯリソースとの対応関係が１６以下とすると、ネットワーク機器は、４ビットでＲＯリソースの指示を実現することができ、これにより、非競合アクセスプロセスのＰＲＡＣＨリソースを示すために必要なビットのオーバーヘッドが低減され得ることは、理解されるだろう。
【００５９】
具体的な実施において、上述したステップ１０１は、具体的には、物理下がりリンク制御チャネルＰＤＣＣＨ又は無線リソース制御ＲＲＣを介して、端末機器に目標リソース指示情報を送信する段階を含んでもよい。
【００６０】
これに基づいて、一例において、前記ＰＤＣＣＨ又は前記ＲＲＣには、さらに１つ又は複数の関連対象インデックス番号が付される場合、上記１４項の対応関係における所定関連対象は、前記１つ又は複数の関連対象インデックス番号に対応する関連対象とされてもよい。
【００６１】
例えば、ＰＤＣＣＨ又はＲＲＣにはさらにＳＳＢ指示情報が付され、且つ、このＳＳＢ指示情報は、ＲＯリソースに関連付けられる１つ又は１組のＳＳＢを含むと仮定すると、本開示の実施例では、ＳＳＢ指示情報に示されるＳＳＢを、ＳＳＢリスト（ｓｓｂ−ＲｅｓｏｕｒｃｅＬｉｓｔ）として表記し得る。このように、上述した１４項に記載の対応関係における所定関連対象は、ＳＳＢリストにおける関連対象とされてもよい。
【００６２】
他の例において、上記１４項に記載の対応関係における所定関連対象は、前記ネットワーク機器が送信する（ネットワーク機器が実際に送信したものであってもよい）複数の関連対象をさらに含んでもよい。これらの複数の関連対象は、ネットワーク機器が送信した関連対象の全部であってもよいし、ネットワーク機器が送信した関連対象の一部であってもよい。この例において、具体的には２つのケースがある。１つは、前記ＰＤＣＣＨ又は前記ＲＲＣには関連対象インデックス番号が付されていないケースであり、この場合、直接ネットワーク機器が実際に送信した複数の関連対象を所定関連対象とすることができる。もう１つは、前記ＰＤＣＣＨ又は前記ＲＲＣには関連対象インデックス番号が付されているが、付されている関連対象インデックス番号は無効であり、この場合、ネットワーク機器が実際に送信した複数の関連対象を所定関連対象とする。
【００６３】
また、上述のように、前記目標リソース指示情報はＰＲＡＣＨマスクインデックスを含むが、ＲＯリソースインデックスを含まない場合、前記ＰＲＡＣＨマスクインデックスの指定ビットの値と、残りのビットが示す値に基づいて、上述した１４項に記載の対応関係における所定インデックス番号を決定することができる。ここで、指定ビットは、ＰＲＡＣＨマスクインデックスの何れか１つ又は複数のビット、例えば、最上位ビット、又は最下位ビット、又は最上位ビットと２番目に上位のビットなどであり得る。
【００６４】
具体的には、指定ビットが最上位ビットである場合、前記ＰＲＡＣＨマスクインデックスの最上位ビットが第１所定値であれば、前記所定インデックス番号は、前記ＰＲＡＣＨマスクインデックスの残りのビットが示す値となり；前記ＰＲＡＣＨマスクインデックスの最上位ビットが第２所定値であれば、前記所定インデックス番号は、前記ＰＲＡＣＨマスクインデックスの残りのビットが示す値以外の値となる。前記第１所定値と前記第２所定値とは異なる。
【００６５】
例えば、ＰＲＡＣＨマスクインデックスの最上位ビットが０を示し（第１所定値＝０）、ＰＲＡＣＨマスクインデックスの最上位ビット以外の残りのビットの値はＮである場合、ＲＯリソースの所定インデックス番号はＮである。且つ、ＰＲＡＣＨマスクインデックスとＳＳＢインデックスとの組み合わせは、ＳＳＢリストにおける関連対象に関連付けられるＲＯリソースのうちの、インデックス番号がＮのＲＯリソースを示す。ＰＲＡＣＨマスクインデックスの最上位ビットが１を示し（第２所定値＝１）、ＰＲＡＣＨマスクインデックスの最上位ビット以外の残りのビットの値はＮである場合、ＰＲＡＣＨマスクインデックスは、ＲＯリソースのうちのインデックス番号がＮのＲＯリソースを示せず、他のＲＯリソースを示す。
【００６６】
また、本開示の実施例において、前記所定時間間隔内で設定されるＲＯリソースは、前記所定時間間隔内で設定された全てのＲＯリソースのうちの任意の数のＲＯリソース、又は、前記所定時間間隔内で設定された全てのＲＯリソースのうちの有効なＲＯリソースを含んでもよい。
また、異なる適用シナリオでは、有効なＲＯリソースの意味が異なる。ＦＲ１では、ＲＯリソースは、通常として、残りの最小システム情報（Ｒｅｍａｉｎｉｎｇ  Ｍｉｎｉｍｕｍ  Ｓｙｓｔｅｍ  Ｉｎｆｏｒｍａｔｉｏｎ，ＲＭＳＩ）設定の準静的ＤＬ／ＵＬ設定におけるアップリンク部分で伝送され、通常、ＲＯリソースは下がり伝送と衝突しなく、即ち、ＦＲ１では、ＲＯリソースは全て有効であると一般に考えられる。ＦＲ２では、ＲＯリソースは、一般的にＲＭＳＩ設定の準静的ＤＬ／ＵＬ設定におけるアップリンク部分とフレキシブル（ｆｌｅｘｉｂｌｅ）リンク部分で伝送され、且つ、１つのランダムアクセスチャネル（Ｒａｎｄｏｍ  Ａｃｃｅｓｓ  Ｃｈａｎｎｅｌ、ＲＡＣＨ）のタイムスロットにおいて、有効なＲＯリソースは、ＳＳＢとは衝突することも、ＳＳＢの前に現れることもなく、端末機器は、有効なＲＯのいずれにも下がり信号を受信することを望まない。即ち、ＳＳＢと衝突することも、SSBの前に現れることも、且つ下がり信号を受信することもないＲＯリソースは、有効であると一般に考えられる。
【００６７】
本開示の実施例に提供される非競合ランダムアクセスリソースの設定方法では、ネットワーク機器がより少ないコンテンツの目標リソース指示情報を端末機器に送信することでＲＯリソースの指示を達成し得るので、非競合アクセスプロセスのＲＯリソースを示すために必要なビットのオーバーヘッドが低減され得る。さらに、このような目標リソース指示情報の値の範囲とＲＯリソースとの対応関係により、物理ランダムアクセスチャネル送信機会のＲＯリソースを決定する方式は、より柔軟であるため、ネットワーク機器によるＲＯリソース設定のする柔軟性を向上させる。
【００６８】
上述では、ネットワーク機器に適用する非競合ランダムアクセスリソースの設定方法を概説したが、以下、具体的な例に合わせて、所定マッピング関係を説明する。
【００６９】
第１例において、異なる周波数帯域（ＦＲ１又はＦＲ２）、異なる方式（ＦＦＤ又はＴＤＤ）に対して、目標リソース指示情報をそれぞれ設計し（即ち、周波数帯域、方式別に設計する）、且つ、目標リソース指示情報は、ＰＲＡＣＨマスクインデックスとＲＯリソースインデックスとを含み、関連グループにてＲＯリソースをグループ化し、また、ＰＤＣＣＨ又はＲＲＣを介して端末機器に目標リソース指示情報を送信する。
【００７０】
ＰＤＣＣＨ又はＲＲＣにはさらにＳＳＢ指示情報が付され、且つ、このＳＳＢ指示情報は、ＲＯリソースに関連付けられる１つ又は１組のＳＳＢ（例えば、ＳＳＢ指示情報がＲＯリソースに関連付けられる１つのＳＳＢを示すか、又は、ＳＳＢ指示情報がＲＯリソースに関連付けられる１組のＳＳＢを示す）を含むとし、ＳＳＢリスト（ｓｓｂ−ＲｅｓｏｕｒｃｅＬｉｓｔ）として表記する。また、ＲＯリソースインデックスの値をＮとし、ＳＳＢＭに関連付けられるＲＯリソースのうちのインデックス番号がＮのＲＯリソースは、ＲＯ  Ｎと表記する。また、ＦＤＤ＆ＦＲ１、ＴＤＤ＆ＦＲ１、及びＴＤＤ＆ＦＲ２では、基地局が１つのＰＲＡＣＨリソースの設定周期内で設定する関連グループの数はＮ１、Ｎ２、及びＮ３以下、且つ、Ｎ１＞Ｎ３＞Ｎ２とする。
【００７１】
これに基づいて、表１に示すような所定マッピング関係を決定することができる。
【００７２】
【表１】
2021520136.tif 000003
【００７３】
【表２】
2021520136.tif 000004
【００７４】
第２例において、異なる周波数帯域（ＦＲ１又はＦＲ２）、異なる方式（ＦＦＤ又はＴＤＤ）に対して、同じ目標リソース指示情報を設計し（即ち、周波数帯域、方式を区分せず統一に設計する）、且つ、目標リソース指示情報は、ＰＲＡＣＨマスクインデックスとＲＯリソースインデックスとを含み、ＲＯリソースを関連グループにてグループ化し、また、ＰＤＣＣＨ又はＲＲＣを介して端末機器に目標リソース指示情報を送信する。
【００７５】
ＰＤＣＣＨ又はＲＲＣにはさらにＳＳＢ指示情報が付され、且つ、このＳＳＢ指示情報は、ＲＯリソースに関連付けられる１つ又は１組のＳＳＢ（例えば、ＳＳＢ指示情報がＲＯリソースに関連付けられる１つのＳＳＢを示すか、又は、ＳＳＢ指示情報がＲＯリソースに関連付けられる１組のＳＳＢを示す）を含むとし、ＳＳＢリスト（ｓｓｂ−ＲｅｓｏｕｒｃｅＬｉｓｔ）として表記する。また、ＲＯリソースインデックスの値をＮとし、ＳＳＢＭに関連付けられるＲＯリソースのうちのインデックス番号がＮのＲＯリソースは、ＲＯ  Ｎと表記する。また、１つのＰＲＡＣＨリソースの設定周期内で、基地局が設定する関連グループの数がＸ以下とする。
【００７６】
これに基づいて、表２に示すような所定マッピング関係を決定することができる。
【００７７】
【表３】
2021520136.tif 000005
【００７８】
第３例において、異なる周波数帯域（ＦＲ１又はＦＲ２）、異なる方式（ＦＦＤ又はＴＤＤ）に対して、同じ目標リソース指示情報を設計し（即ち、周波数帯域、方式を区分せず統一に設計する）、且つ、目標リソース指示情報は、ＲＯリソースインデックスを含まなく、ＰＲＡＣＨマスクインデックスのみを含み、関連グループにてＲＯリソースをグループ化し、ＰＤＣＣＨ又はＲＲＣを介して端末機器に目標リソース指示情報を送信し、さらに、ＰＲＡＣＨマスクインデックスの最上位ビットの値と残りのビットが示す値に基づいて、ＲＯリソースの所定インデックス番号を決定する（ＰＲＡＣＨの最上位ビットを用いてＲＯリソースの所定インデックス番号を決定する）。
【００７９】
ＰＤＣＣＨ又はＲＲＣにはさらにＳＳＢ指示情報が付され、且つ、このＳＳＢ指示情報は、ＲＯリソースに関連付けられる１つ又は１組のＳＳＢ（例えば、ＳＳＢ指示情報がＲＯリソースに関連付けられる１つのＳＳＢを示するか、又は、ＳＳＢ指示情報がＲＯリソースに関連付けられる１組ＳＳＢを示す）を含むとし、ＳＳＢリスト（ｓｓｂ−ＲｅｓｏｕｒｃｅＬｉｓｔ）と表記する。この例において、ＳＳＢリストにおけるＳＳＢを、所定関連対象として決定してもよいし、ネットワーク機器が実際に送信した全てのＳＳＢを、所定関連対象としてもよい。
【００８０】
ＰＲＡＣＨマスクインデックスの最上位ビットが０を示し（第１所定値＝０）、ＰＲＡＣＨマスクインデックスの最上位ビット以外の残りのビットの値はＮである場合、ＲＯリソースの所定インデックス番号はＮである。且つ、ＰＲＡＣＨマスクインデックスとＳＳＢインデックスとの組み合わせは、ＳＳＢリストにおける関連対象に関連付けられるＲＯリソースのうちのインデックス番号がＮのＲＯリソースを示す。
【００８１】
ＰＲＡＣＨマスクインデックスの最上位ビットが１を示し（第２所定値＝１）、ＰＲＡＣＨマスクインデックスの最上位ビット以外の残りのビットの値はＮである場合、ＰＲＡＣＨマスクインデックスは、ＲＯリソースのうちのインデックス番号がＮのＲＯリソースを示せず、他のＲＯリソースを示す。
【００８２】
これに基づいて、表３に示すような所定マッピング関係を決定することができる。
【００８３】
【表４】
2021520136.tif 000006
【００８４】
【表５】
2021520136.tif 000007
【００８５】
第４例において、異なる周波数帯域（ＦＲ１又はＦＲ２）、異なる方式（ＦＦＤ又はＴＤＤ）に対して、同じ目標リソース指示情報を設計し（即ち、周波数帯域、方式を区分せず統一に設計する）、且つ、目標リソース指示情報は、ＲＯリソースインデックスを含まなく、ＰＲＡＣＨマスクインデックスのみを含み、関連グループにてＲＯリソースをグループ化し、また、ＰＤＣＣＨ又はＲＲＣを介して端末機器に目標リソース指示情報を送信し、ＲＯリソースの所定インデックス番号をＰＲＡＣＨの最上位ビットを用いずに決定する。
【００８６】
ＰＤＣＣＨ又はＲＲＣにはさらにＳＳＢ指示情報が付され、且つ、このＳＳＢ指示情報は、ＲＯリソースに関連付けられる１つ又は１組のＳＳＢ（例えば、ＳＳＢ指示情報がＲＯリソースに関連付けられる１つのＳＳＢを示すか、又は、ＳＳＢ指示情報がＲＯリソースに関連付けられる１組のＳＳＢを示す）を含むとし、ＳＳＢリスト（ｓｓｂ−ＲｅｓｏｕｒｃｅＬｉｓｔ）と表記する。この例において、ＳＳＢリストにおけるＳＳＢを、所定関連対象として決定してもよいし、ネットワーク機器が実際に送信した全てのＳＳＢを、所定関連対象としてもよい。
【００８７】
これに基づいて、同様に表３に示すような所定マッピング関係を決定することができる。
【００８８】
第５例において、異なる周波数帯域（ＦＲ１又はＦＲ２）、異なる方式（ＦＦＤ又はＴＤＤ）に対して、目標リソース指示情報をそれぞれ設計し（即ち、周波数帯域、方式別に設計する）、且つ、目標リソース指示情報は、ＲＯリソースインデックスを含まなく、ＰＲＡＣＨマスクインデックスのみを含み、且つ、関連グループにてＲＯリソースをグループ化し、ＰＤＣＣＨ又はＲＲＣを介して端末機器に目標リソース指示情報を送信する。
【００８９】
ＰＤＣＣＨ又はＲＲＣがＳＳＢ指示情報をさらに搬送し、且つ、このＳＳＢ指示情報は、ＲＯリソースに関連付けられる１つ又は１組のＳＳＢ（例えば、ＳＳＢ指示情報がＲＯリソースに関連付けられる１つのＳＳＢを示すか、又は、ＳＳＢ指示情報がＲＯリソースに関連付けられる１組のＳＳＢを示す）を含むとし、ＳＳＢリスト（ｓｓｂ−ＲｅｓｏｕｒｃｅＬｉｓｔ）として表記する。また、ＦＤＤ＆ＦＲ１、ＴＤＤ＆ＦＲ１、及びＴＤＤ＆ＦＲ２では、基地局が１つのＰＲＡＣＨリソースの設定周期内で設定する関連グループの数はＮ１、Ｎ２、及びＮ３以下、且つ、Ｎ１＞Ｎ３＞Ｎ２とする。
【００９０】
これに基づいて、表４に示すような所定マッピング関係を決定することができる。
【００９１】
【表６】
2021520136.tif 000008
【００９２】
【表７】
2021520136.tif 000009
【００９３】
第６例において、異なる周波数帯域（ＦＲ１又はＦＲ２）、異なる方式（ＦＦＤ又はＴＤＤ）に対して、同じ目標リソース指示情報を設計し（即ち、周波数帯域、方式を区分せず統一に設計する）、且つ、目標リソース指示情報は、ＲＯリソースインデックスを含まなく、ＰＲＡＣＨマスクインデックスのみを含み、関連グループにてＲＯリソースをグループ化し、また、ＰＤＣＣＨ又はＲＲＣを介して端末機器に目標リソース指示情報を送信する。
【００９４】
ＰＤＣＣＨ又はＲＲＣにはＳＳＢ指示情報が付され、且つ、このＳＳＢ指示情報は、ＲＯリソースに関連付けられる１つ又は１組のＳＳＢ（例えば、ＳＳＢ指示情報がＲＯリソースに関連付けられる１つのＳＳＢを示すか、又は、ＳＳＢ指示情報がＲＯリソースに関連付けられる１組のＳＳＢを示す）を含むとし、ＳＳＢリスト（ｓｓｂ−ＲｅｓｏｕｒｃｅＬｉｓｔ）として表記する。さらに、１つのＰＲＡＣＨリソースの設定周期内で、基地局が設定する関連グループの数がＤ以下とする。
【００９５】
これに基づいて、表５に示すような所定マッピング関係を決定することができる。
【００９６】
【表８】
2021520136.tif 000010
【００９７】
第７例において、異なる周波数帯域（ＦＲ１又はＦＲ２）、異なる方式（ＦＦＤ又はＴＤＤ）に対して、目標リソース指示情報をそれぞれ設計し（即ち、周波数帯域、方式別に設計する）、且つ、目標リソース指示情報は、ＰＲＡＣＨマスクインデックスとＲＯリソースインデックスとを含み、時間位置（時点）にてＲＯリソースをグループ化し、また、ＰＤＣＣＨ又はＲＲＣを介して端末機器に目標リソース指示情報を送信する。
【００９８】
ＰＤＣＣＨ又はＲＲＣにはさらにＳＳＢ指示情報が付され、且つ、このＳＳＢ指示情報は、ＲＯリソースに関連付けられる１つ又は１組のＳＳＢ（例えば、ＳＳＢ指示情報がＲＯリソースに関連付けられる１つのＳＳＢを示すか、又は、ＳＳＢ指示情報がＲＯリソースに関連付けられる１組のＳＳＢを示す）を含むとし、ＳＳＢリスト（ｓｓｂ−ＲｅｓｏｕｒｃｅＬｉｓｔ）として表記する。また、ＲＯリソースインデックスの値をＮとし、ＳＳＢＭに関連付けられるＲＯリソースのうちのインデックス番号がＮのＲＯリソースは、ＲＯ  Ｎと表記する。また、ＦＤＤ＆ＦＲ１、ＴＤＤ＆ＦＲ１、及びＴＤＤ＆ＦＲ２で、基地局が１つのＰＲＡＣＨリソースの設定周期内で設定する時間位置の数はＮ１、Ｎ２、及びＮ３以下、且つ、Ｎ１＞Ｎ３＞Ｎ２とする。
【００９９】
これに基づいて、表６に示すような所定マッピング関係を決定することができる。
【０１００】
【表９】
2021520136.tif 000011
【０１０１】
【表１０】
2021520136.tif 000012
【０１０２】
第８例において、異なる周波数帯域（ＦＲ１又はＦＲ２）、異なる方式（ＦＦＤ又はＴＤＤ）に対して、同じ目標リソース指示情報を設計し（即ち、周波数帯域、方式を区分せず統一に設計する）、且つ、目標リソース指示情報は、ＰＲＡＣＨマスクインデックスとＲＯリソースインデックスとを含み、時間位置（時点）にてＲＯリソースをグループ化し、また、ＰＤＣＣＨ又はＲＲＣを介して端末機器に目標リソース指示情報を送信する。
【０１０３】
ＰＤＣＣＨ又はＲＲＣにはさらにＳＳＢ指示情報が付され、且つ、このＳＳＢ指示情報は、ＲＯリソースに関連付けられる１つ又は１組のＳＳＢ（例えば、ＳＳＢ指示情報がＲＯリソースに関連付けられる１つのＳＳＢを示すか、又は、ＳＳＢ指示情報がＲＯリソースに関連付けられる１組のＳＳＢを示す）を含むとし、ＳＳＢリスト（ｓｓｂ−ＲｅｓｏｕｒｃｅＬｉｓｔ）として表記する。ＲＯリソースインデックスの値をＮとし、ＳＳＢＭに関連付けられるＲＯリソースのうちのインデックス番号がＮのＲＯリソースは、ＲＯ  Ｎと表記する。１つのＰＲＡＣＨリソースの設定周期内で、基地局が設定する時点の数がＸ以下とする。
【０１０４】
これに基づいて、表７に示すような所定マッピング関係を決定することができる。
【０１０５】
【表１１】
2021520136.tif 000013
【０１０６】
以上、図１〜図４を参照して、本開示の実施例に係わる非競合ランダムアクセスリソースの設定方法はを詳細に説明した。以下、図５を参照して、端末機器に適用する非競合ランダムアクセスリソースの設定方法について説明する。
【０１０７】
図５は、本開示の１つの実施例に係わる端末機器に適用する非競合ランダムアクセスリソースの設定方法を示す。図５に示すように、この方法には以下のステップを含む。
【０１０８】
ステップ５０１：物理ランダムアクセスチャネル送信機会ＲＯリソースを決定するために用いられ、物理ランダムアクセス制御チャネルＰＲＡＣＨマスクインデックスとＲＯリソースインデックスのうちの少なくとも１つを含む目標リソース指示情報を受信する。
【０１０９】
ステップ５０２：前記目標リソース指示情報の値の範囲と、前記目標リソース指示情報の値の範囲とＲＯリソースとの対応関係を含む所定マッピング関係とに基づいて、目標ＲＯリソースを決定する。
【０１１０】
一例において、ステップ５０２は、具体的には、
【０１１１】
前記目標リソース指示情報の値の範囲と所定マッピング関係に基づいて、前記目標リソース指示情報の値の範囲とマッチングする候補ＲＯリソースを決定するサブステップ１と、
前記候補ＲＯリソースの数が１に等しいとき、前記候補ＲＯリソースを目標ＲＯリソースとして決定するサブステップ２と、
前記候補ＲＯリソースの数が１より大きいとき、第１所定ルールに基づいて、前記候補ＲＯリソースから、１つ又は複数のＲＯリソースを目標ＲＯリソースとして選択するサブステップ３と、
前記候補ＲＯリソースの数が０に等しいとき、第２所定ルールに基づいて、所定時間間隔内で設定されたＲＯリソースから、１つ又は複数のＲＯリソースを目標ＲＯリソースとして選択するサブステップ４と、含む。
【０１１２】
より詳細には、上記のサブステップ３は、前記候補ＲＯリソースから、現在時刻に最も近い１つ又は複数の利用可能なＲＯリソースを目標ＲＯリソースとして選択すること、又は、前記候補ＲＯリソースから、周波数分割多重ＦＤＭされた複数の利用可能なＲＯリソースを目標ＲＯリソースとして選択すること、又は、前記候補ＲＯリソースから、時分割多重（Ｔｉｍｅ  Ｄｉｖｉｓｉｏｎ  Ｍｕｌｔｉｐｌｅｘ、ＴＤＭ）された複数の利用可能なＲＯリソースを目標ＲＯリソースとして選択することを、含んでもよい。
【０１１３】
より詳細には、上記のサブステップ４は、所定時間間隔内で設定されたＲＯリソースから、現在時刻に最も近い１つ又は複数の利用可能なＲＯリソースを目標ＲＯリソースとして選択すること、又は、所定時間間隔内で設定されたＲＯリソースから、周波数分割多重ＦＤＭされた複数の利用可能なＲＯリソースを目標ＲＯリソースとして選択すること、又は、所定時間間隔内で設定されたＲＯリソースの中から、時分割多重ＴＤＭされた複数の利用可能なＲＯリソースを目標ＲＯリソースとして選択することを、含んでもよい。
【０１１４】
一例において、前記所定マッピング関係は、ネットワーク機器によって前記端末機器に設定されるか、又は、プロトコルによって規定され、前記所定マッピング関係は、ＲＯリソースグループに係わる。
【０１１５】
前記ＲＯリソースグループは、所定パラメータに基づいて所定時間間隔内で設定されたＲＯリソースをグループ化して得られるものであり、
前記所定パラメータは、ＲＯリソース識別子、ＲＯリソースの時間位置、ＲＯリソースの周波数領域位置、ＲＯリソースの関連対象のタイプ及び関連グループのうちの１つを含み、前記関連対象のタイプは、同期信号ブロックＳＳＢ又はチャネル状態参照信号ＣＳＩ−ＲＳを含み、前記関連グループは、ＲＯリソースと関連対象との１回の完全なマッピングを完了するために必要なＲＯリソースからなるセットである。
【０１１６】
前記所定パラメータがＲＯリソース識別子である場合、ＲＯリソースグループの数は、前記所定時間間隔内で設定されるＲＯリソースの数に等しい。
【０１１７】
一例として、前記所定時間間隔は、前記ネットワーク機器によるＲＯリソースの設定周期又は同期周期を含む。
【０１１８】
前記所定マッピング関係は、以下の対応関係のうちの１つ又は複数を含む。
（１）目標リソース指示情報の値の範囲が第１所定区間にある場合、対応するＲＯリソースは、前記所定時間間隔内でネットワーク機器によって設定された全てのＲＯリソースであり、
（２）目標リソース指示情報の値の範囲が第２所定区間にある場合、対応するＲＯリソースは、番号が奇数であるＲＯリソースグループ内の、所定関連対象に関連付けられるＲＯリソースであり、
（３）目標リソース指示情報の値の範囲が第３所定区間にある場合、対応するＲＯリソースは、番号が偶数であるＲＯリソースグループ内の、所定関連対象に関連付けられるＲＯリソースであり、
（４）目標リソース指示情報の値の範囲が第４所定区間にある場合、対応するＲＯリソースは、番号が奇数であるＲＯリソースグループ内の、所定関連対象に関連付けられるインデックス番号が奇数のＲＯリソース、及び番号が偶数であるＲＯリソースグループ内の、所定関連対象に関連付けられるインデックス番号が偶数のＲＯリソースであり、
（５）目標リソース指示情報の値の範囲が第５所定区間にある場合、対応するＲＯリソースは、全てのＲＯリソースグループのうちのｉ番目のサブグループ内の、所定関連対象に関連付けられる全てのＲＯリソースであり、ｉは、前記目標リソース指示情報の具体的な値に基づいて決定され、前記サブグループは、全てのＲＯリソースグループを順次均等分割して得られるものであり、ｉは、０より大きく前記サブグループの総数以下の整数であり、
（６）目標リソース指示情報の値の範囲が第６所定区間にある場合、対応するＲＯリソースは、全てのＲＯリソースグループ内の、所定関連対象に関連付けられる全てのＲＯリソースのうちのｊ番目のサブグループ内のＲＯリソースであり、ｊは、前記目標リソース指示情報の具体的な値に基づいて決定され、前記サブグループは、前記所定関連対象に関連付けられる全てのＲＯリソースを順次均等分割して得られるものであり、ｊは、０より大きく前記サブグループの総数以下の整数であり、
（７）目標リソース指示情報の値の範囲が第７所定区間にある場合、対応するＲＯリソースは、所定番号が付されるＲＯリソースグループから連続する所定数のＲＯリソースグループ内の、所定関連対象に関連付けられるＲＯリソースであり、
【０１１９】
（８）目標リソース指示情報の値の範囲が第８所定区間にある場合、対応するＲＯリソースは、所定番号が付されるＲＯリソースグループ内の、所定関連対象に関連付けられる全てのＲＯリソースであり、前記所定番号は、前記目標リソース指示情報の具体的な値に基づいて決定され、
（９）目標リソース指示情報の値の範囲が第９所定区間にある場合、対応するＲＯリソースは、全てのＲＯリソースグループ内の、所定関連対象に関連付けられるインデックス番号が所定インデックス番号のＲＯリソースであり、
（１０）目標リソース指示情報の値の範囲が第１０所定区間にある場合、対応するＲＯリソースは、番号が奇数であるＲＯリソースグループ内の、所定関連対象に関連付けられるインデックス番号が所定インデックス番号のＲＯリソースであり、
（１１）目標リソース指示情報の値の範囲が第１１所定区間にある場合、対応するＲＯリソースは、番号が偶数であるＲＯリソースグループ内の、所定関連対象に関連付けられるインデックス番号が所定インデックス番号のＲＯリソースであり、
（１２）目標リソース指示情報の値の範囲が第１２所定区間にある場合、対応するＲＯリソースは、全てのＲＯリソースグループのうちのｋ番目のサブグループ内の、所定関連対象に関連付けられるインデックス番号が所定インデックス番号のＲＯリソースであり、ｋは、前記目標リソース指示情報の具体的な値に基づいて決定され、前記サブグループは、全てのリソースグループを順次均等分割して得られるものであり、ｋは、０より大きく前記サブグループの総数以下の整数であり、
（１３）目標リソース指示情報の値の範囲が第１３所定区間にある場合、対応するＲＯリソースは、所定番号が付されるＲＯリソースグループ内の、所定関連対象に関連付けられるインデックス番号が所定インデックス番号のＲＯリソースであり、前記所定番号は前記目標リソース指示情報の具体的な値に基づいて決定され、
（１４）目標リソース指示情報の値の範囲が第１４所定区間にある場合、対応するＲＯリソースは、所定番号が付されるＲＯリソースグループから連続する所定数のＲＯリソースグループ内の、所定関連対象に関連付けられるインデックス番号が所定インデックス番号のＲＯリソースである。
【０１２０】
選択的には、上述したステップ５０１は、具体的には、物理下がりリンク制御チャネルＰＤＣＣＨ又は無線リソース制御ＲＲＣに搬送される目標リソース指示情報を受信することを含んでもよい。
【０１２１】
これに基づいて、一例において、前記ＰＤＣＣＨ又は前記ＲＲＣにはさらに１つ又は複数の関連対象インデックス番号が付される場合、図５に示すような方法は、
前記１つ又は複数の関連対象インデックス番号に対応する関連対象を、前記所定関連対象として決定することを、さらに含んでもよい。
【０１２２】
他の一例において、図５に示すような方法は、ネットワーク機器によって送信された複数の関連対象を、前記所定関連対象として決定することを、さらに含んでもよい。
【０１２３】
さらに他の一例において、図５に示すような方法は、前記ＰＲＡＣＨマスクインデックスの指定ビットの値と、残りのビットが示す値に基づいて、前記所定インデックス番号を決定することを、さらに含んでもよい。
【０１２４】
具体的には、指定ビットが最上位ビットである場合、前記ＰＲＡＣＨマスクインデックスの最上位ビットが第１所定値であれば、前記ＰＲＡＣＨマスクインデックスの残りのビットが示す値を、前記所定インデックス番号として決定し；前記ＰＲＡＣＨマスクインデックスの最上位ビットが第２所定値であれば、前記ＰＲＡＣＨマスクインデックスの残りのビットが示す値以外の値を、前記所定インデックス番号として決定する。ここで、前記第１所定値と前記第２所定値とは、異なる。
【０１２５】
選択的には、本開示の実施例において、前記所定時間間隔内で設定されたＲＯリソースは、前記所定時間間隔内でネットワーク機器によって設定された全てのＲＯリソースのうちの任意の数のＲＯリソース、又は、前記所定時間間隔内でネットワーク機器によって設定された全てのＲＯリソースのうちの有効なＲＯリソースを含む。
【０１２６】
本開示の実施例が提供する非競合ランダムアクセスリソース構成方法では、端末機器が受信した目標リソース指示情報と所定マッピング関係に基づいて、目標ＲＯリソースを決定できるので、非競合アクセスプロセスのＲＯリソースを示すために必要なビットのオーバーヘッドが低減され得る。さらに、このような目標リソース指示情報の値の範囲とＲＯリソースとの対応関係により、物理ランダムアクセスチャネル送信機会ＲＯリソースを決定する方式は、より柔軟であるため、ネットワーク機器によるＲＯリソース設定の柔軟性が向上される。
【０１２７】
以下、図６〜図９を参照して、本開示の実施例に係わるネットワーク機器及び端末機器について詳細に説明する。
【０１２８】
図６は、本開示の実施例に係わるネットワーク機器の構成を示す図であり、図６に示すように、ネットワーク機器６００は、送信モジュール６０１を備える。  
【０１２９】
送信モジュール６０１は、所定マッピング関係に基づいて、端末機器に目標リソース指示情報を送信する。ここで、前記目標リソース指示情報は物理ランダムアクセスチャネル送信機会ＲＯリソースを決定するために用いられ、前記目標リソース指示情報は、物理ランダムアクセス制御チャネルＰＲＡＣＨマスクインデックスとＲＯリソースインデックスのうちの少なくとも１つを含み、前記所定マッピング関係は、前記目標リソース指示情報の値の範囲とＲＯリソースとの対応関係を含む。
【０１３０】
選択的には、所定マッピング関係は、前記ネットワーク機器によって予め決定されるか、又はプロトコルによって規定され、前記所定マッピング関係は、ＲＯリソースグループに関わる。
選択的には、前記ＲＯリソースグループは、所定パラメータに基づいて、所定時間間隔内で設定されたＲＯリソースをグループ化することによって取得されるものである。前記所定パラメータは、ＲＯリソース識別子、ＲＯリソースの時間位置、ＲＯリソースの周波数領域位置、ＲＯリソースの関連対象のタイプ及び関連グループのうちの１つを含み、前記関連対象のタイプは、同期信号ブロックＳＳＢ又はチャネル状態参照信号ＣＳＩ−ＲＳを含み、前記関連グループは、ＲＯリソースと関連対象との１回の完全なマッピングを完了するために必要なＲＯリソースからなるセットである。
【０１３１】
前記所定パラメータがＲＯリソース識別子である場合、ＲＯリソースグループの数は、前記所定時間間隔内で設定されたＲＯリソースの数に等しい。
【０１３２】
選択的には、前記所定時間間隔は、前記ネットワーク機器によるＲＯリソースの設定周期又は同期周期を含む。
【０１３３】
選択的には、前記所定マッピング関係は、以下の対応関係のうちの１つ又は複数を含む。
【０１３４】
目標リソース指示情報の値の範囲が第１所定区間にある場合、対応するＲＯリソースは、前記所定時間間隔内で設定された全てのＲＯリソースであり、
目標リソース指示情報の値の範囲が第２所定区間にある場合、対応するＲＯリソースは、番号が奇数であるＲＯリソースグループ内の、所定関連対象に関連付けられるＲＯリソースであり、
目標リソース指示情報の値の範囲が第３所定区間にある場合、対応するＲＯリソースは、番号が偶数であるＲＯリソースグループ内の、所定関連対象に関連付けられるＲＯリソースであり、
目標リソース指示情報の値の範囲が第４所定区間にある場合、対応するＲＯリソースは、番号が奇数であるＲＯリソースグループ内の、所定関連対象に関連付けられるインデックス番号が奇数のＲＯリソース、及び番号が偶数であるＲＯリソースグループ内の、所定関連対象に関連付けられるインデックス番号が偶数のＲＯリソースであり、
目標リソース指示情報の値の範囲が第５所定区間にある場合、対応するＲＯリソースは、全てのＲＯリソースグループのうちのｉ番目のサブグループ内の、所定関連対象に関連付けられる全てのＲＯリソースであり、ｉは、前記目標リソース指示情報の具体的な値に基づいて決定され、前記サブグループは、全てのＲＯリソースグループを順次均等分割して得られるものであり、ｉは、０より大きく前記サブグループの総数以下の整数であり、
目標リソース指示情報の値の範囲が第６所定区間にある場合、対応するＲＯリソースは、全てのＲＯリソースグループ内の、所定関連対象に関連付けられる全てのＲＯリソースのうちのｊ番目のサブグループ内のＲＯリソースであり、ｊは、前記目標リソース指示情報の具体的な値に基づいて決定され、前記サブグループは、前記所定関連対象に関連付けられる全てのＲＯリソースを順次均等分割して得られるもので、ｊは、０より大きく前記サブグループの総数以下の整数であり、
目標リソース指示情報の値の範囲が第７所定区間にある場合、対応するＲＯリソースは、所定番号が付されるＲＯリソースグループから連続する所定数のＲＯリソースグループにおいて、所定関連対象に関連付けられるＲＯリソースであり、
目標リソース指示情報の値の範囲が第８所定区間にある場合、対応するＲＯリソースは、所定番号が付されるＲＯリソースグループ内の、所定関連対象に関連付けられる全てのＲＯリソースであり、前記所定番号は前記目標リソース指示情報の具体的な値に基づいて決定され、
目標リソース指示情報の値の範囲が第９所定区間にある場合、対応するＲＯリソースは、全てのＲＯリソースグループ内の、所定関連対象に関連付けられるインデックス番号が所定インデックス番号のＲＯリソースであり、
目標リソース指示情報の値の範囲が第１０所定区間にある場合、対応するＲＯリソースは、番号が奇数であるＲＯリソースグループ内の、所定関連対象に関連付けられるインデックス番号が所定インデックス番号のＲＯリソースであり、
目標リソース指示情報の値の範囲が第１１所定区間にある場合、対応するＲＯリソースは、番号が偶数であるＲＯリソースグループ内の、所定関連対象に関連付けられるインデックス番号が所定インデックス番号のＲＯリソースであり、
目標リソース指示情報の値の範囲が第１２所定区間にある場合、対応するＲＯリソースは、全てのＲＯリソースグループのうちのｋ番目のサブグループ内の、所定関連対象に関連付けられるインデックス番号が所定インデックス番号のＲＯリソースであり、ｋは、前記目標リソース指示情報の具体的な値に基づいて決定され、前記サブグループは、全てのリソースグループを順次均等分割して得られるものであり、ｋは、０より大きく前記サブグループの総数以下の整数であり、
目標リソース指示情報の値の範囲が第１３所定区間にある場合、対応するＲＯリソースは、所定番号が付されるＲＯリソースグループ内の、所定関連対象に関連付けられるインデックス番号が所定インデックス番号のＲＯリソースであり、前記所定番号は前記目標リソース指示情報の具体的な値に基づいて決定され、
目標リソース指示情報の値の範囲が第１４所定区間にある場合、対応するＲＯリソースは、所定番号が付されるＲＯリソースグループから連続する所定数のＲＯリソースグループ内の、所定関連対象に関連付けられるインデックス番号が所定インデックス番号のＲＯリソースである。
【０１３５】
選択的には、前記送信モジュール６０１は、物理下がりリンク制御チャネルＰＤＣＣＨ又は無線リソース制御ＲＲＣを介して、端末機器に目標リソース指示情報を送信するために用いられる。
【０１３６】
選択的には、前記ＰＤＣＣＨ又は前記ＲＲＣにはさらに１つ又は複数の関連対象インデックス番号が付される場合、前記所定関連対象は、前記１つ又は複数の関連対象インデックス番号に対応する関連対象とされる。
【０１３７】
選択的には、前記所定関連対象は、前記ネットワーク機器によって送信される複数の関連対象を含む。
【０１３８】
選択的には、前記目標リソース指示情報は、ＲＯリソースインデックスを含まなく、ＰＲＡＣＨマスクインデックスを含む。前記ＰＲＡＣＨマスクインデックスは、指定ビットの値と残りのビットが示す値に基づいて決定される。
【０１３９】
選択的には、指定ビットが最上位ビットである場合、前記ＰＲＡＣＨマスクインデックスの最上位ビットが第１所定値であれば、前記所定インデックス番号は、前記ＰＲＡＣＨマスクインデックスの残りのビットが示す値であり；前記ＰＲＡＣＨマスクインデックスの最上位ビットが第２所定値であれば、前記所定インデックス番号は、前記ＰＲＡＣＨマスクインデックスの残りのビットが示す値以外の値である。前記第１所定値と前記第２所定値とは異なる。
【０１４０】
選択的には、前記所定時間間隔内で設定されたＲＯリソースは、前記所定時間間隔内で設定された全てのＲＯリソースのうちの任意の数のＲＯリソース、又は、前記所定時間間隔内で設定された全てのＲＯリソースのうちの有効なＲＯリソースを含む。
【０１４１】
本開示の実施例に係わるネットワーク機器６００は、より少ないコンテンツの目標リソース指示情報を端末機器に送信することで、ＲＯリソースの指示を達成できるので、非競合アクセスプロセスのＲＯリソースを示すために必要なビットのオーバーヘッドが低減され得る。さらに、このような目標リソース指示情報の値の範囲とＲＯリソースとの対応関係により、物理ランダムアクセスチャネル送信機会ＲＯリソースを決定する方式は、より柔軟であるため、ネットワーク機器によるＲＯリソース設定の柔軟性を向上させる。
【０１４２】
上述した図６に示すネットワーク機器は、上述した図１に示す非競合ランダムアクセスリソースの設定方法の各実施例を実施するために用いられ、関連部分について、上述した方法実施例を参照すればよい。
【０１４３】
図７は、本開示の実施例に係わる端末機器の構成を示す図である。図７に示すように、端末機器７００は、受信モジュール７０１と第１決定モジュール７０２を備える。
【０１４４】
受信モジュール７０１は、物理ランダムアクセスチャネル送信機会ＲＯリソースを決定するために用いられる目標リソース指示情報であって、物理ランダムアクセス制御チャネルＰＲＡＣＨマスクインデックスとＲＯリソースインデックスのうちの少なくとも１つを含む目標リソース指示情報を受信するために用いられる。
【０１４５】
第１決定モジュール７０２は、前記目標リソース指示情報の値の範囲と、前記目標リソース指示情報の値の範囲とＲＯリソースとの対応関係を含む所定マッピング関係に基づいて、目標ＲＯリソースを決定するために用いられる。
【０１４６】
選択的には、前記第１決定モジュールは、候補ＲＯリソース決定サブモジュールと、第１目標ＲＯリソース決定サブモジュールと、第２目標ＲＯリソース決定サブモジュールと、第３目標ＲＯリソース決定サブモジュールとを含む。
【０１４７】
候補ＲＯリソース決定サブモジュールは、前記目標リソース指示情報の値の範囲と所定マッピング関係に基づいて、前記目標リソース指示情報の値の範囲とマッチングする候補ＲＯリソースを決定するために用いられ、
第１目標ＲＯリソース決定サブモジュールは、前記候補ＲＯリソースの数が１に等しいとき、前記候補ＲＯリソースを目標ＲＯリソースとして決定するために用いられ、
第２目標ＲＯリソース決定サブモジュールは、前記候補ＲＯリソースの数が１より大きいとき、第１所定ルールに基づいて、前記候補ＲＯリソースから、１つ又は複数のＲＯリソースを目標ＲＯリソースとして選択するために用いられ、
第３目標ＲＯリソース決定サブモジュールは、前記候補ＲＯリソースの数が０に等しいとき、第２所定ルールに基づいて、所定時間間隔内で設定されたＲＯリソースから、１つ又は複数のＲＯリソースを目標ＲＯリソースとして選択するために用いられる。
【０１４８】
選択的には、前記第２目標ＲＯリソース決定サブモジュールは、具体的には、
前記候補ＲＯリソースから、現在時刻に最も近い１つ又は複数の利用可能なＲＯリソースを目標ＲＯリソースとして選択すること、又は
前記候補ＲＯリソースから、周波数分割多重ＦＤＭされた複数の利用可能なＲＯリソースを、目標ＲＯリソースとして選択すること、又は
前記候補ＲＯリソースから、時分割多重ＴＤＭの複数の利用可能なＲＯリソースを、目標ＲＯリソースとして選択することに、用いられる。
【０１４９】
選択的には、前記第３目標ＲＯリソース決定サブモジュールは、具体的には、
所定時間間隔内で設定されたＲＯリソースから、現在時刻に最も近い１つ又は複数の利用可能なＲＯリソースを、目標ＲＯリソースとして選択すること、又は
所定時間間隔内で設定されたＲＯリソースから、周波数分割多重ＦＤＭされた複数の利用可能なＲＯリソースを、目標ＲＯリソースとして選択すること、又は
所定時間間隔内で設定されたＲＯリソースから、時分割多重ＴＤＭの複数の利用可能なＲＯリソースを、目標ＲＯリソースとして選択することに、用いられる。
【０１５０】
選択的には、前記所定マッピング関係は、ネットワーク機器によって前記端末機器に設定されるか、又は、プロトコルによって規定され、前記所定マッピング関係は、ＲＯリソースグループに関わる。
【０１５１】
選択的には、前記ＲＯリソースグループは、所定パラメータに基づいて、所定時間間隔内で設定されたＲＯリソースをグループ化して得られるものである。ここで、前記所定パラメータは、ＲＯリソース識別子、ＲＯリソースの時間位置、ＲＯリソースの周波数領域位置、ＲＯリソースの関連対象のタイプ及び関連グループのうちの１つを含み、前記関連対象のタイプは、同期信号ブロックＳＳＢ又はチャネル状態参照信号ＣＳＩ−ＲＳを含み、前記関連グループは、ＲＯリソースと関連対象との１回の完全なマッピングを完了するために必要なＲＯリソースからなるセットである。
前記所定パラメータがＲＯリソース識別子である場合、ＲＯリソースグループの数は、前記所定時間間隔内で設定されたＲＯリソースの数に等しい。
【０１５２】
選択的には、前記所定時間間隔は、前記ネットワーク機器によるＲＯリソースの設定周期又は同期周期を含む。
【０１５３】
選択的には、前記所定マッピング関係は、以下の対応関係のうちの１つ又は複数を含む：
目標リソース指示情報の値の範囲が第１所定区間にある場合、対応するＲＯリソースは、前記所定時間間隔内でネットワーク機器によって設定された全てのＲＯリソースであり、
目標リソース指示情報の値の範囲が第２所定区間にある場合、対応するＲＯリソースは、番号が奇数であるＲＯリソースグループ内の、所定関連対象に関連付けられるＲＯリソースであり、
目標リソース指示情報の値の範囲が第３所定区間にある場合、対応するＲＯリソースは、番号が偶数であるＲＯリソースグループ内の、所定関連対象に関連付けられるＲＯリソースであり、
目標リソース指示情報の値の範囲が第４所定区間にある場合、対応するＲＯリソースは、番号が奇数であるＲＯリソースグループ内の、所定関連対象に関連付けられるインデックス番号が奇数のＲＯリソース、及び番号が偶数であるＲＯリソースグループ内の、所定関連対象に関連付けられるインデックス番号が偶数のＲＯリソースであり、
目標リソース指示情報の値の範囲が第５所定区間にある場合、対応するＲＯリソースは、全てのＲＯリソースグループのうちのｉ番目のサブグループ内の、所定関連対象に関連付けられる全てのＲＯリソースであり、ｉは、前記目標リソース指示情報の具体的な値に基づいて決定され、前記サブグループは、全てのＲＯリソースグループを順次均等分割して得られるものであり、ｉは、０より大きく前記サブグループの総数以下の整数であり、
目標リソース指示情報の値の範囲が第６所定区間にある場合、対応するＲＯリソースは、全てのＲＯリソースグループ内の、所定関連対象に関連付けられる全てのＲＯリソースのうちのｊ番目のサブグループ内のＲＯリソースであり、ｊは、前記目標リソース指示情報の具体的な値に基づいて決定され、前記サブグループは、前記所定関連対象に関連付けられる全てのＲＯリソースを順次均等分割して得られるものであり、ｊは、０より大きく前記サブグループの総数以下の整数であり、
目標リソース指示情報の値の範囲が第７所定区間にある場合、対応するＲＯリソースは、所定番号が付されるＲＯリソースグループから連続する所定数のＲＯリソースグループ内の、所定関連対象に関連付けられるＲＯリソースであり、
目標リソース指示情報の値の範囲が第８所定区間にある場合、対応するＲＯリソースは、所定番号が付されるＲＯリソースグループ内の、所定関連対象に関連付けられる全てのＲＯリソースであり、前記所定番号は前記目標リソース指示情報の具体的な値に基づいて決定され、
目標リソース指示情報の値の範囲が第９所定区間にある場合、対応するＲＯリソースは、全てのＲＯリソースグループ内の、所定関連対象に関連付けられるインデックス番号が所定インデックス番号のＲＯリソースであり、
目標リソース指示情報の値の範囲が第１０所定区間にある場合、対応するＲＯリソースは、番号が奇数であるＲＯリソースグループ内の、所定関連対象に関連付けられるインデックス番号が所定インデックス番号のＲＯリソースであり、
目標リソース指示情報の値の範囲が第１１所定区間にある場合、対応するＲＯリソースは、番号が偶数であるＲＯリソースグループ内の、所定関連対象に関連付けられるインデックス番号が所定インデックス番号のＲＯリソースであり、
目標リソース指示情報の値の範囲が第１２所定区間にある場合、対応するＲＯリソースは、全てのＲＯリソースグループのうちのｋ番目のサブグループ内の、所定関連対象に関連付けられるインデックス番号が所定インデックス番号のＲＯリソースであり、ｋは、前記目標リソース指示情報の具体的な値に基づいて決定され、前記サブグループは、全てのリソースグループを順次均等分割して得られるものであり、ｋは、０より大きく前記サブグループの総数以下の整数であり、
目標リソース指示情報の値の範囲が第１３所定区間にある場合、対応するＲＯリソースは、所定番号が付されるＲＯリソースグループ内の、所定関連対象に関連付けられるインデックス番号が所定インデックス番号のＲＯリソースであり、前記所定番号は前記目標リソース指示情報の具体的な値に基づいて決定され、
目標リソース指示情報の値の範囲が第１４所定区間にある場合、対応するＲＯリソースは、所定番号が付されるＲＯリソースグループから連続する所定数のＲＯリソースグループ内の、所定関連対象に関連付けられるインデックス番号が所定インデックス番号のＲＯリソースである。
【０１５４】
選択的には、前記受信モジュール７０１は、具体的には、物理下がりリンク制御チャネルＰＤＣＣＨ又は無線リソース制御ＲＲＣに付される目標リソース指示情報を受信するために用いられる。
【０１５５】
選択的には、前記ＰＤＣＣＨ又は前記ＲＲＣには、１つ又は複数の関連対象インデックス番号がさらに付され、前記端末機器７００は、前記１つ又は複数の関連対象インデックス番号に対応する関連対象を、前記所定関連対象として決定するために用いられる第２決定モジュールをさらに備えてもよい。
【０１５６】
選択的には、前記端末機器７００は、ネットワーク機器から送信された複数の関連対象を前記所定関連対象として決定するために用いられる第３決定モジュールをさらに備えてもよい。
【０１５７】
選択的には、前記目標リソース指示情報は、ＲＯリソースインデックスを含まなく、ＰＲＡＣＨマスクインデックスを含み、前記端末機器７００は、前記ＰＲＡＣＨマスクインデックスの指定ビットの値と残りのビットが示す値に基づいて、前記所定インデックス番号を決定するために用いられる第４決定モジュールをさらに備えてもよい。
【０１５８】
選択的には、前記第４決定モジュールは、具体的には、指定ビットが最上位ビットである場合、前記ＰＲＡＣＨマスクインデックスの最上位ビットが第１所定値であれば、前記ＰＲＡＣＨマスクインデックスの残りのビットが示す値を、前記所定インデックス番号として決定し、前記ＰＲＡＣＨマスクインデックスの最上位ビットが第２所定値であれば、前記ＰＲＡＣＨマスクインデックスの残りのビットが示す値以外の値を、前記所定インデックス番号として決定することに用いられる。ここで、前記第１所定値と前記第２所定値は異なる。
【０１５９】
選択的には、前記所定時間間隔内で設定されたＲＯリソースは、前記所定時間間隔内でネットワーク機器によって設定された全てのＲＯリソースのうちの任意の数のＲＯリソース、又は、前記所定時間間隔内でネットワーク機器によって設定された全てのＲＯリソースのうちの有効なＲＯリソースを含む。
【０１６０】
本開示の実施例に係わる端末機器７００は、受信した目標リソース指示情報と所定マッピング関係に基づいて、目標ＲＯリソースを決定できるので、非競合アクセスプロセスのＲＯリソースを示すために必要なビットのオーバーヘッドが低減され得る。さらに、このような目標リソース指示情報の値の範囲とＲＯリソースとの対応関係により、物理ランダムアクセスチャネル送信機会ＲＯリソースを決定する方式は、より柔軟であるため、ネットワーク機器によるＲＯリソース設定のする柔軟性を向上させる。
【０１６１】
上述した図７に示す端末機器は、上述した図５に示す非競合ランダムアクセスリソースの設定方法の各実施例を実施するために用いられ、関連部分について、上述した方法実施例を参照すればよい。
【０１６２】
図８を参照すると、図８は、本開示の実施例に適用するネットワーク機器の構成を示す図である。上述した非競合ランダムアクセスリソースの設定方法の細部を実現し、同じ効果を奏することができる。図８に示すように、ネットワーク機器８００は、プロセッサ８０１、送受信機８０２、メモリ８０３、ユーザインターフェース８０４、及びバスインターフェースを備え、
【０１６３】
本開示の実施例において、ネットワーク機器８００は、さらに、メモリ８０３に記憶され、プロセッサ８０１で実行可能なプログラムを備える。プログラムは、プロセッサ８０１によって実行されると、上述した非競合ランダムアクセスリソースの設定方法の各プロセスを実現させ、且つ、同じ技術的効果を奏することができる。繰り返しを避けるため、ここでその説明を省略する。
【０１６４】
図８において、バスアーキテクチャは、任意の数の相互接続されたバス及びブリッジを有することができ、具体的には、プロセッサ８０１に代表される少なくとも１つのプロセッサと、メモリ８０３に代表されるメモリの様々な回路とが互いにリンクされる。バスアーキテクチャは、さらに、周辺機器、電圧レギュレータ、及び電力管理回路などの様々な他の回路を互いにリンクすることができる。これらは当業者に周知さられるので、本明細書ではこれ以上説明しない。バスインターフェースは、インターフェースを提供する。送受信機８０２は、複数の要素であり得、即ち、送信機及び受信機を備え、伝送媒体を介して様々な他の装置と通信するためのユニットを提供する。異なる端末機器に対して、ユーザインターフェース８０４は、必要な機器と外部及び内部で接続することができるインターフェースであってもよく、接続される機器には、キーパッド、ディスプレイ、スピーカー、マイク、ジョイスティックなどが挙げられるが、これらに限定されない。
【０１６５】
プロセッサ８０１は、バスアーキテクチャの管理と通常の処理を担当し、メモリ８０３は、プロセッサ８０１が動作時に使用するデータを記憶することができる。
図９は本開示の別の１つの実施例に係わる端末機器の構成を示す図である。図９に示す端末機器９００は、少なくとも１つのプロセッサ９０１と、メモリ９０２と、少なくとも１つのネットワークインターフェース９０４と、ユーザインターフェース９０３とを備える。端末機器９００における様々な構成要素は、バスシステム９０５を介して互いに結合される。バスシステム９０５は、これらの構成要素間の接続通信が可能とするために用いられることを理解されたい。バスシステム９０５は、データバスの他に、電力バス、制御バス、ステータス信号バスを備える。しかし、説明をより明確にするため、これらの様々なバスは、図９ではいずれもバスシステム９０５として示される。
ここで、ユーザインターフェース９０３は、ディスプレイ、キーボード又はポインティング機器（例えば、マウス、トラックボール（ｔｒａｃｋｂａｌｌ）、タッチパッド又はタッチスクリーンなど）を含んでもよい。
【０１６６】
本開示の実施例におけるメモリ９０２は、揮発性メモリ又は不揮発性メモリであってもよく、又は揮発性メモリ及び不揮発性メモリの両方を含んでもよいことを理解されたい。ここで、不揮発性メモリは、読み出し専用メモリ（Ｒｅａｄ−Ｏｎｌｙ    Ｍｅｍｏｒｙ、ＲＯＭ）、プログラマブル読み出し専用メモリ（Ｐｒｏｇｒａｍｍａｂｌｅ  ＲＯＭ、ＰＲＯＭ）、消去可能プログラマブル読み出し専用メモリ（Ｅｒａｓａｂｌｅ  ＰＲＯＭ、ＥＰＲＯＭ）、電気的消去可能プログラマブル読み出し専用メモリ（Ｅｌｅｃｔｒｉｃａｌｌｙ  ＥＰＲＯＭ、ＥＥＰＲＯＭ）、又はフラッシュメモリであってよい。揮発性メモリは、外部キャッシュとして使用されるランダムアクセスメモリ（Ｒａｎｄｏｍ  Ａｃｃｅｓｓ  Ｍｅｍｏｒｙ，ＲＡＭ）であってもよい。例示的であるが限定的でない説明を通じて、多くの形式のＲＡＭ、例えば、静的ランダムアクセスメモリ（Ｓｔａｔｉｃ  ＲＡＭ、ＳＲＡＭ）、動的ランダムアクセスメモリ（Ｄｙｎａｍｉｃ  ＲＡＭ、ＤＲＡＭ）、同期動的ランダムアクセスメモリ（Ｓｙｎｃｈｒｏｎｏｕｓ  ＤＲＡＭ、ＳＤＲＡＭ）、ダブルデータレート同期動的ランダムアクセスメモリ（Ｄｏｕｂｌｅ  Ｄａｔａ  Ｒａｔｅ  ＳＤＲＡＭ、ＤＤＲＳＤＲＡＭ）、拡張同期動的ランダムアクセスメモリ（Ｅｎｈａｎｃｅｄ  ＳＤＲＡＭ、ＥＳＤＲＡＭ）、同期リンク動的ランダムアクセスメモリ（Ｓｙｎｃｈｌｉｎｋ  ＤＲＡＭ、ＳＬＤＲＡＭ）、及び直接ランバスランダムアクセスメモリ（Ｄｉｒｅｃｔ  Ｒａｍｂｕｓ  ＲＡＭ、ＤＲＲＡＭ）が利用可能である。本開示の実施例で説明されるシステム及び方法のメモリ９０２は、これら及び任意の他の適切なタイプのメモリを含むことを意図するが、これらに限定されない。
【０１６７】
いくつかの実施例において、メモリ９０２は、実行可能なモジュール又はデータ構造、又はそれらのサブセット、又はそれらの拡張セット、即ちオペレーティングシステム９０２１及びアプリケーションプログラム９０２２のような要素を記憶する。
ここで、オペレーティングシステム９０２１は、様々な基本的なサービス幹業務の実現や、ハードウェアベースのタスクの処理を遂行するため、例えば、フレームワーク層、コアライブラリ層、ドライバ層などの様々なシステムプログラムを含む。アプリケーションプログラム９０２２は、様々なアプリケーションサービスを遂行するため例えば、メディアプレーヤ（Ｍｅｄｉａ  Ｐｌａｙｅｒ）、ブラウザ（Ｂｒｏｗｓｅｒ）などの様々なアプリケーションプログラムを含む。本開示の実施例の方法を実現するためのプログラムは、アプリケーションプログラム９０２２に含まれ得る。
【０１６８】
本開示の実施例において、端末機器９００は、メモリ９０２に記憶され、プロセッサ９０１で実行可能なプログラムを更に含み、プログラムは、プロセッサ９０１によって実行されとき、上述した非競合ランダムアクセスリソースの設定方法の各プロセスを実現し、且つ、同じ技術的効果を奏することができる。繰り返しを避けるため、ここでその説明を省略する。
【０１６９】
本開示の実施例に開示された上記の方法は、プロセッサ９０１に適用されてもよいし、プロセッサ９０１によって実現されてもよい。プロセッサ９０１は、信号の処理能力を有する集積回路チップであってもよい。実現プロセスにおいて、上記方法の各ステップは、プロセッサ９０１におけるハードウェアの集積論理回路又はソフトウェアの形態の命令によって達成され得る。上述したプロセッサ９０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又は別のプログラマブル論理機器、ディスクリートゲート又はトランジスタロジック、ディスクリートハードウェア部品などであってよい。本開示の実施例に開示された各方法、ステップ、及び論理ブロック図は、実現又は実行され得る。汎用プロセッサは、マイクロプロセッサであってもよいし、又は該プロセッサは、任意の従来のプロセッサなどであってもよい。本開示の実施例と組み合わせて開示される方法のステップは、ハードウェア復号化プロセッサによって実行されることによって直接的に具現化されてもよく、又は復号化プロセッサにおけるハードウェアとソフトウェアモジュールの組み合わせによって実行される。ソフトウェアモジュールは、ランダムアクセスメモリ、フラッシュメモリ、読み出し専用メモリ、プログラマブル読み出し専用メモリ、又は電気的消去可能プログラマブルメモリ、レジスタなどの当技術分野で周知のコンピュータ可読記憶媒体に設定され得る。該コンピュータ可読記憶媒体はメモリ９０２に設定され、プロセッサ９０１は、メモリ９０２における情報を読み取り、そのハードウェアと組み合わせて上記の方法のステップを完了する。具体的には、該コンピュータ可読記憶媒体はプログラムを記憶し、プログラムがプロセッサ９０１によって実行されると、上記の非競合ランダムアクセスリソースの設定方法の実施例の各ステップが実現される。
【０１７０】
本開示の実施例に記載されたこれらの実施例は、ハードウェア、ソフトウェア、ファームウェア、ミドルウェア、マイクロコード、又はそれらの組み合わせによって実現されてもよいことを理解されたい。ハードウェア実現の場合、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、本開示に記載される機能を実行するための他の電子ユニット又はそれらの組み合わせにおいて実現され得る。
【０１７１】
ソフトウェアの実現について、本開示の実施例に記載された技術は、本開示の実施形態に記載された機能を実行するモジュール（例えば、プロセス、関数など）によって実現されてもよい。ソフトウェアコードは、メモリに記憶され、プロセッサによって実行され得る。メモリは、プロセッサ内に実現されてもよいし、プロセッサの外部に実現されてもよい。
本開示の実施例は、コンピュータ可読記憶媒体をさらに提供し、コンピュータ可読記憶媒体はプログラムを記憶し、該プログラムがプロセッサによって実行されると、上述した非競合ランダムアクセスリソースの設定方法の実施例の各プロセスが実現され、且つ、同じ技術的効果を達成することができ、繰り返しを避けるため、ここではその説明を省略する。ここで、前記のコンピュータ可読記憶媒体としては、例えば、読み出し専用メモリ（Ｒｅａｄ−Ｏｎｌｙ  Ｍｅｍｏｒｙ、略称ＲＯＭ）、ランダムアクセスメモリ（Ｒａｎｄｏｍ  Ａｃｃｅｓｓ  Ｍｅｍｏｒｙ、略称ＲＡＭ）、磁気ディスク、又は光ディスクなどが挙げられる。
【０１７２】
本開示の実施例は、命令を含むプログラム製品をさらに提供し、コンピュータが前記プログラム製品の前記命令を実行すると、前記コンピュータが上述した非競合ランダムアクセスリソースの設定方法を実行する。具体的には、このプログラム製品は上述したネットワーク機器で実行され得る。
当業者は、本明細書に開示された実施例に記載の例示の各ユニット及びアルゴリズムステップが、電子ハードウェア、又はコンピュータソフトウェアと電子ハードウェアの組合せで実装され得ることを理解されるであろう。これらの機能がハードウェア又はソフトウェアのいずれの方法で実行されるかは、技術案の決定の適用例及び設計制約に依存する。当業者は、説明された機能を実現するために、各決定の適用例ごとに異なる方法を使用できるが、そのような実現は、本開示の範囲から逸脱すると見なされるべきではない。
【０１７３】
当業者であれば、説明の便宜及び簡潔のために、上述した説明したシステム、機器及びユニットの具体的な動作プロセスは、上記の方法の実施例における対応するプロセスを参照してもよく、ここでその説明が省略されることを理解できるであろう。
【０１７４】
本開示によって提供されるいくつかの実施例において、開示されるシステム、機器、及び方法は、他の方法で実現され得ることが理解されるべきである。例えば、上述した機器の実施例は単なる例示的なものであり、例えば、説明されたユニットの分割は、１つの論理的機能の分割であり、実際に具現化する場合、他の分割方式があってもよく、例えば、複数のユニット又は構成要素が別のシステムに結合されても、集積されてもよく、又は、一部の特徴が省略されても、実行されなくてもよい。さらに、表示された又は検討された相互結合、又は直接結合、又は通信接続は、いくつかのインターフェース、機器又はユニットを介した間接結合又は通信接続であってもよく、電気的、機械的又は他の形態であってもよい。
【０１７５】
前記分離部品として説明されたユニットは、物理的に分離されてもよいし、又は分離されなくてもよいし、ユニットとして表示された部品は、物理的なユニットであってもよいし、又は物理的なユニットではなくてもよいし、即ち、一箇所に位置してもよく、又は複数のネットワークユニットに分散されてもよい。なお、本実施例の技術案の目的を達成するために、必要に応じて、その一部又は全てのユニットを選択することができる。
【０１７６】
さらに、本開示の各実施例における各機能ユニットは、１つの処理ユニットに集積されもよいし、各ユニットが物理的に別々に存在していてもよいし、２つ又はその以上のユニットが１つのユニットに集積されていてもよい。
【０１７７】
前記機能がソフトウェア機能ユニットとして実現され、且つ、独立した製品として販売又は使用される場合には、１つのコンピュータ可読記憶媒体に記憶されることができる。このような理解に基づいて、本開示の技術案の本質的又は従来技術に貢献する部分又は該技術案の一部をソフトウェア製品の形式で具現化することができる。該コンピュータソフトウェア製品は、コンピュータ装置（パーソナルコンピュータ、サーバ、又はネットワーク機器などであり得る）に、本開示の各実施例に記載の方法のステップの全て又は一部を実行させるための若干の命令を含む記憶媒体に記憶されるコンピュータソフトウェア製品は、コンピュータ装置(パーソナルコンピュータ、サーバ、又はネットワーク装置などとすることができる)に、本開示の様々な実施形態に記載された方法のステップの全て又は一部を実行させるための若干の命令を含む記憶媒体に、記憶される。前記記憶媒体には、Ｕディスク、リムーバブルハードディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどの様々のプログラムコードを記憶できる媒体が挙げられる。      
【０１７８】
上記は、本発明の具体的な実施形態であり、本発明の保護範囲はこれに限定されず、当業者は、本発明に開示された技術的範囲内で容易に想到できる変形又は置換は、本発明の保護範囲に含まれるべきである。したがって、本発明の保護範囲は、特許請求の範囲の記載に準拠するものする。
【図１】
2021520136.tif 000014
【図２】
2021520136.tif 000015
【図３】
2021520136.tif 000016
【図４】
2021520136.tif 000017
【図５】
2021520136.tif 000018
【図６】
2021520136.tif 000019
【図７】
2021520136.tif 000020
【図８】
2021520136.tif 000021
【図９】
2021520136.tif 000022
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
端末機器に適用する非競合ランダムアクセスリソースの設定方法であって、
目標リソース指示情報を受信するステップであって、前記目標リソース指示情報は物理ランダムアクセスチャネル送信機会ＲＯリソースを決定するために用いられ、前記目標リソース指示情報は、物理ランダムアクセス制御チャネルＰＲＡＣＨマスクインデックスとＲＯリソースインデックスのうちの少なくとも１つを含むステップと、
前記目標リソース指示情報の値の範囲と所定マッピング関係とに基づいて、目標ＲＯリソースを決定するステップであって、前記所定マッピング関係は、前記目標リソース指示情報の値の範囲とＲＯリソースとの対応関係を含むステップと、を有する方法。
【請求項２】
前記目標リソース指示情報の値の範囲と所定マッピング関係に基づいて、目標ＲＯリソースを決定するステップは、
前記目標リソース指示情報の値の範囲と所定マッピング関係に基づいて、前記目標リソース指示情報の値の範囲とマッチングする候補ＲＯリソースを決定するサブステップと、
前記候補ＲＯリソースの数が１に等しいとき、前記候補ＲＯリソースを前記目標ＲＯリソースとして決定するサブステップと、
前記候補ＲＯリソースの数が１より大きいとき、第１所定ルールに基づいて、前記候補ＲＯリソースから、１つ又は複数のＲＯリソースを前記目標ＲＯリソースとして選択するサブステップと、
前記候補ＲＯリソースの数が０に等しいとき、第２所定ルールに基づいて、所定時間間隔内で設定されたＲＯリソースから、１つ又は複数のＲＯリソースを目標前記ＲＯリソースとして選択するサブステップとを含む、
請求項１に記載の方法。
【請求項３】
前記第１所定ルールに基づいて、前記候補ＲＯリソースから、１つ又は複数のＲＯリソースを前記目標ＲＯリソースとして選択するサブステップは、
前記候補ＲＯリソースから、現在時刻に最も近い１つ又は複数の利用可能なＲＯリソースを前記目標ＲＯリソースとして選択すること、又は
前記候補ＲＯリソースから、周波数領域の周波数分割多重ＦＤＭされた複数の利用可能なＲＯリソースを前記目標ＲＯリソースとして選択すること、又は
前記候補ＲＯリソースから、時間領域の時分割多重ＴＤＭされた複数の利用可能なＲＯリソースを前記目標ＲＯリソースとして選択することを含む、
請求項２に記載の方法。
【請求項４】
前記第２所定ルールに基づいて、所定時間間隔内で設定されたＲＯリソースから、１つ又は複数のＲＯリソースを前記目標ＲＯリソースとして選択する段階は、
所定時間間隔内で設定されたＲＯリソースから、現在時刻に最も近い１つ又は複数の利用可能なＲＯリソースを前記目標ＲＯリソースとして選択すること、又は
所定時間間隔内で設定されたＲＯリソースから、周波数分割多重ＦＤＭの複数の利用可能なＲＯリソースを前記目標ＲＯリソースとして選択すること、又は
所定時間間隔内で設定されたＲＯリソースから、時分割多重ＴＤＭされた複数の利用可能なＲＯリソースを前記目標ＲＯリソースとして選択することを含む、
請求項２に記載の方法。
【請求項５】
前記所定マッピング関係は、ネットワーク機器によって前記端末機器に設定されるか、又は、プロトコルによって規定され、
前記所定マッピング関係は、ＲＯリソースグループに関わり、
前記ＲＯリソースグループは、所定パラメータに基づいて所定時間間隔内で設定されたＲＯリソースをグループ化して得られるものであり、
前記所定パラメータは、ＲＯリソース識別子、ＲＯリソースの時間位置、ＲＯリソースの周波数領域位置、ＲＯリソースの関連対象のタイプ及び関連グループのうちの１つを含み、前記関連対象のタイプは、同期信号ブロックＳＳＢ又はチャネル状態参照信号ＣＳＩ−ＲＳを含み、前記関連グループは、ＲＯリソースと関連対象との１回の完全なマッピングを完了するために必要なＲＯリソースからなるセットであり、
前記所定パラメータがＲＯリソース識別子である場合、ＲＯリソースグループの数は、前記所定時間間隔内で設定されたＲＯリソースの数に等しい、
請求項１〜４のいずれかの１項に記載の方法。
【請求項６】
前記所定マッピング関係は、
前記目標リソース指示情報の値の範囲が第１所定区間にある場合、対応するＲＯリソースは、前記所定時間間隔内でネットワーク機器によって設定された全てのＲＯリソースである対応関係と、
前記目標リソース指示情報の値の範囲が第２所定区間にある場合、対応するＲＯリソースは、番号が奇数であるＲＯリソースグループ内の、所定関連対象に関連付けられるＲＯリソースである対応関係と、
前記目標リソース指示情報の値の範囲が第３所定区間にある場合、対応するＲＯリソースは、番号が偶数であるＲＯリソースグループ内の、所定関連対象に関連付けられるＲＯリソースである対応関係と、
前記目標リソース指示情報の値の範囲が第４所定区間にある場合、対応するＲＯリソースは、番号が奇数であるＲＯリソースグループ内の、所定関連対象に関連付けられるインデックス番号が奇数のＲＯリソース、及び番号が偶数であるＲＯリソースグループ内の、所定関連対象に関連付けられるインデックス番号が偶数のＲＯリソースである対応関係と、
前記目標リソース指示情報の値の範囲が第５所定区間にある場合、対応するＲＯリソースは、全てのＲＯリソースグループのうちのｉ番目のサブグループ内の、所定関連対象に関連付けられる全てのＲＯリソースであり、ｉは、前記目標リソース指示情報の具体的な値に基づいて決定され、前記サブグループは、全てのＲＯリソースグループを順次均等分割して得られるものであり、ｉは、０より大きく前記サブグループの総数以下の整数である対応関係と、
前記目標リソース指示情報の値の範囲が第６所定区間にある場合、対応するＲＯリソースは、全てのＲＯリソースグループ内の、所定関連対象に関連付けられる全てのＲＯリソースのうちのｊ番目のサブグループ内のＲＯリソースであり、ｊは、前記目標リソース指示情報の具体的な値に基づいて決定され、前記サブグループは、前記所定関連対象に関連付けられる全てのＲＯリソースを順次均等分割して得られるものであり、ｊは、０より大きく前記サブグループの総数以下の整数である対応関係と、
前記目標リソース指示情報の値の範囲が第７所定区間にある場合、対応するＲＯリソースは、所定番号が付されるＲＯリソースグループから連続する所定数のＲＯリソースグループ内の、所定関連対象に関連付けられるＲＯリソースである対応関係と、
前記目標リソース指示情報の値の範囲が第８所定区間にある場合、対応するＲＯリソースは、所定番号が付されるＲＯリソースグループ内の、所定関連対象に関連付けられる全てのＲＯリソースであり、前記所定番号は前記目標リソース指示情報の具体的な値に基づいて決定される対応関係と、
前記目標リソース指示情報の値の範囲が第９所定区間にある場合、対応するＲＯリソースは、全てのＲＯリソースグループ内の、所定関連対象に関連付けられるインデックス番号が所定インデックス番号のＲＯリソースである対応関係と、
前記目標リソース指示情報の値の範囲が第１０所定区間にある場合、対応するＲＯリソースは、番号が奇数であるＲＯリソースグループ内の、所定関連対象に関連付けられるインデックス番号が所定インデックス番号のＲＯリソースである対応関係と、
前記目標リソース指示情報の値の範囲が第１１所定区間にある場合、対応するＲＯリソースは、番号が偶数であるＲＯリソースグループ内の、所定関連対象に関連付けられるインデックス番号が所定インデックス番号のＲＯリソースである対応関係と、
前記目標リソース指示情報の値の範囲が第１２所定区間にある場合、対応するＲＯリソースは、全てのＲＯリソースグループのうちのｋ番目のサブグループ内の、所定関連対象に関連付けられるインデックス番号が所定インデックス番号のＲＯリソースであり、ｋは、前記目標リソース指示情報の具体的な値に基づいて決定され、前記サブグループは、全てのリソースグループを順次均等分割して得られるものであり、ｋは、０より大きく前記サブグループの総数以下の整数である対応関係と、
前記目標リソース指示情報の値の範囲が第１３所定区間にある場合、対応するＲＯリソースは、所定番号が付されるＲＯリソースグループ内の、所定関連対象に関連付けられるインデックス番号が所定インデックス番号のＲＯリソースであり、前記所定番号は前記目標リソース指示情報の具体的な値に基づいて決定される対応関係と、
前記目標リソース指示情報の値の範囲が第１４所定区間にある場合、対応するＲＯリソースは、所定番号が付されるＲＯリソースグループから連続する所定数のＲＯリソースグループ内の、所定関連対象に関連付けられるインデックス番号が所定インデックス番号のＲＯリソースである対応関係と、
のうちの１つ又は複数の対応関係を含む、請求項５に記載の方法。
【請求項７】
前記目標リソース指示情報は、ＲＯリソースインデックスを含まなく、ＰＲＡＣＨマスクインデックスを含み、前記方法は、
前記ＰＲＡＣＨマスクインデックスの指定のビットの値と残りのビットが示す値に基づいて、前記所定インデックス番号を決定するステップをさらに有する、
請求項６に記載の方法。
【請求項８】
前記指定のビットが最上位ビットであり、この場合、前記の前記ＰＲＡＣＨマスクインデックスの最上位ビットの値と残りのビットが示す値に基づいて、前記所定インデックス番号を決定するステップは、
前記ＰＲＡＣＨマスクインデックスの最上位ビットが第１所定値であれば、前記ＰＲＡＣＨマスクインデックスの残りのビットが示す値を、前記所定インデックス番号として決定する段階と、
前記ＰＲＡＣＨマスクインデックスの最上位ビットが第２所定値であれば、前記ＰＲＡＣＨマスクインデックスの残りのビットが示す値以外の値を、前記所定インデックス番号として決定する段階とを含み、
前記第１所定値と前記第２所定値は異なる、請求項７に記載の方法。
【請求項９】
ネットワーク機器に適用する非競合ランダムアクセスリソースの設定方法であって、
所定マッピング関係に基づいて、目標リソース指示情報を端末機器に送信するステップを有し、
前記目標リソース指示情報は、物理ランダムアクセスチャネル送信機会ＲＯリソースを決定するために用いられ、前記目標リソース指示情報は、物理ランダムアクセス制御チャネルＰＲＡＣＨマスクインデックスとＲＯリソースインデックスのうちの少なくとも１つを含み、前記所定マッピング関係は、前記目標リソース指示情報の値の範囲とＲＯリソースとの対応関係を含む、方法。
【請求項１０】
前記所定マッピング関係は、前記ネットワーク機器によって予め決定されるか、又はプロトコルによって規定され、
前記所定マッピング関係は、ＲＯリソースグループに関わり、
前記ＲＯリソースグループは、所定パラメータに基づいて所定時間間隔内で設定されたＲＯリソースをグループ化して得られるものであり、前記所定パラメータは、ＲＯリソース識別子、ＲＯリソースの時間位置、ＲＯリソースの周波数領域位置、ＲＯリソースの関連対象のタイプ及び関連グループのうちの１つを含み、前記関連対象のタイプは、同期信号ブロックＳＳＢ又はチャネル状態参照信号ＣＳＩ−ＲＳを含み、前記関連グループは、ＲＯリソースと関連対象との１回の完全なマッピングを完了するために必要なＲＯリソースからなるセットであり、前記所定パラメータがＲＯリソース識別子である場合、ＲＯリソースグループの数は、前記所定時間間隔内で設定されたＲＯリソースの数に等しい、請求項９に記載の方法。
【請求項１１】
前記所定マッピング関係は、
前記目標リソース指示情報の値の範囲が第１所定区間にある場合、対応するＲＯリソースは、前記所定時間間隔内で設定された全てのＲＯリソースである対応関係と、
前記目標リソース指示情報の値の範囲が第２所定区間にある場合、対応するＲＯリソースは、番号が奇数であるＲＯリソースグループ内の、所定関連対象に関連付けられるＲＯリソースである対応関係と、
前記目標リソース指示情報の値の範囲が第３所定区間にある場合、対応するＲＯリソースは、番号が偶数であるＲＯリソースグループ内の、所定関連対象に関連付けられるＲＯリソースである対応関係と、
前記目標リソース指示情報の値の範囲が第４所定区間にある場合、対応するＲＯリソースは、番号が奇数であるＲＯリソースグループ内の、所定関連対象に関連付けられるインデックス番号が奇数のＲＯリソース、及び番号が偶数であるＲＯリソースグループ内の、所定関連対象に関連付けられるインデックス番号が偶数のＲＯリソースである対応関係と、
前記目標リソース指示情報の値の範囲が第５所定区間にある場合、対応するＲＯリソースは、全てのＲＯリソースグループのうちのｉ番目のサブグループ内の、所定関連対象に関連付けられる全てのＲＯリソースであり、ｉは、前記目標リソース指示情報の具体的な値に基づいて決定され、前記サブグループは、全てのＲＯリソースグループを順次均等分割して得られるものであり、ｉは、０より大きく前記サブグループの総数以下の整数である対応関係と、
前記目標リソース指示情報の値の範囲が第６所定区間にある場合、対応するＲＯリソースは、全てのＲＯリソースグループ内の、所定関連対象に関連付けられる全てのＲＯリソースのうちのｊ番目のサブグループ内のＲＯリソースであり、ｊは、前記目標リソース指示情報の具体的な値に基づいて決定され、前記サブグループは、前記所定関連対象に関連付けられる全てのＲＯリソースを順次均等分割して得られるものであり、ｊは、０より大きく前記サブグループの総数以下の整数である対応関係と、
前記目標リソース指示情報の値の範囲が第７所定区間にある場合、対応するＲＯリソースは、所定番号が付されるＲＯリソースグループから連続する所定数のＲＯリソースグループ内の、所定関連対象に関連付けられるＲＯリソースである対応関係と、
前記目標リソース指示情報の値の範囲が第８所定区間にある場合、対応するＲＯリソースは、所定番号が付されるＲＯリソースグループ内の、所定関連対象に関連付けられる全てのＲＯリソースであり、前記所定番号は前記目標リソース指示情報の具体的な値に基づいて決定される対応関係と、
前記目標リソース指示情報の値の範囲が第９所定区間にある場合、対応するＲＯリソースは、全てのＲＯリソースグループ内の、所定関連対象に関連付けられるインデックス番号が所定インデックス番号のＲＯリソースである対応関係と、
前記目標リソース指示情報の値の範囲が第１０所定区間にある場合、対応するＲＯリソースは、番号が奇数であるＲＯリソースグループ内の、所定関連対象に関連付けられるインデックス番号が所定インデックス番号のＲＯリソースである対応関係と、
前記目標リソース指示情報の値の範囲が第１１所定区間にある場合、対応するＲＯリソースは、番号が偶数であるＲＯリソースグループ内の、所定関連対象に関連付けられるインデックス番号が所定インデックス番号のＲＯリソースである対応関係と、
前記目標リソース指示情報の値の範囲が第１２所定区間にある場合、対応するＲＯリソースは、全てのＲＯリソースグループのうちのｋ番目のサブグループ内の、所定関連対象に関連付けられるインデックス番号が所定インデックス番号のＲＯリソースであり、ｋは、前記目標リソース指示情報の具体的な値に基づいて決定され、前記サブグループは、全てのリソースグループを順次均等分割して得られるものであり、ｋは、０より大きく前記サブグループの総数以下の整数である対応関係と、
前記目標リソース指示情報の値の範囲が第１３所定区間にある場合、対応するＲＯリソースは、所定番号が付されるＲＯリソースグループ内の、所定関連対象に関連付けられるインデックス番号が所定インデックス番号のＲＯリソースであり、前記所定番号は前記目標リソース指示情報の具体的な値に基づいて決定される対応関係と、
前記目標リソース指示情報の値の範囲が第１４所定区間にある場合、対応するＲＯリソースは、所定番号が付されるＲＯリソースグループから連続する所定数のＲＯリソースグループ内の、所定関連対象に関連付けられるインデックス番号が所定インデックス番号のＲＯリソースである対応関係と、
のうちの１つ又は複数の対応関係を含む、請求項１０に記載の方法。
【請求項１２】
前記目標リソース指示情報は、ＲＯリソースインデックスを含まなく、ＰＲＡＣＨマスクインデックスを含み、この場合、
前記ＰＲＡＣＨマスクインデックスは、指定ビットの値と残りのビットが示す値に基づいて決定される、請求項１１に記載の方法。
【請求項１３】
前記指定ビットが最上位ビットである場合、
前記ＰＲＡＣＨマスクインデックスの最上位ビットが第１所定値であれば、前記所定インデックス番号は、前記ＰＲＡＣＨマスクインデックスの残りのビットが示す値であり、
前記ＰＲＡＣＨマスクインデックスの最上位ビットが第２所定値であれば、前記所定インデックス番号は、前記ＰＲＡＣＨマスクインデックスの残りのビットが示す値以外の値であり、
前記第１所定値と前記第２所定値は異なる、請求項１２に記載の方法。
【請求項１４】
所定マッピング関係に基づいて目標リソース指示情報を端末機器に送信する送信モジュールを備える、ネットワーク機器であって、
前記目標リソース指示情報は、物理ランダムアクセスチャネル送信機会ＲＯリソースを決定するために用いられ、前記目標リソース指示情報は、物理ランダムアクセス制御チャネルＰＲＡＣＨマスクインデックスとＲＯリソースインデックスのうちの少なくとも１つを含み、前記所定マッピング関係は、前記目標リソース指示情報の値の範囲とＲＯリソースとの対応関係を含む、
ネットワーク機器。
【請求項１５】
物理ランダムアクセスチャネル送信機会ＲＯリソースを決定するために用いられる目標リソース指示情報であって、物理ランダムアクセス制御チャネルＰＲＡＣＨマスクインデックスとＲＯリソースインデックスのうちの少なくとも１つを含む目標リソース指示情報を受信するための受信モジュールと、
前記目標リソース指示情報の値の範囲と、前記目標リソース指示情報の値の範囲とＲＯリソースの対応関係を含む所定マッピング関係とに基づいて、目標ＲＯリソースを決定するための第１決定モジュールと、を備える端末機器。
【国際調査報告】
2021520136.tif 000023
2021520136.tif 000024
2021520136.tif 000025
2021520136.tif 000026